(57)【要約】  専用システム情報および共用システム情報を管理するための方法は、システム情報に関連したパラメータの第１のセットを含んでいる第１のメッセージを受信することを含む。パラメータの第１のセットは第１の有効性を有する。この方法はまた、少なくとも部分的にパラメータの第１のセットおよびこのセットの関連する有効性に基づいて、記憶されたパラメータのセットを導出することを含む。この方法は、システム情報に関連したパラメータの第２のセットを含んでいる第２のメッセージを受信することをさらに含む。パラメータの第２のセットは第２の有効性を有する。この方法は、第２の有効性が第１の有効性に取って代わるとき、記憶されたパラメータのセットを変更することをさらに含む。【選択図】図１０
2020505804.tif 000002
【特許請求の範囲】
【請求項１】
システム情報を管理するための方法であって、
システム情報に関連したパラメータの第１のセットを含んでいる第１のメッセージを受信することであって、前記パラメータの第１のセットが第１の有効性を有する、第１のメッセージを受信することと、
少なくとも部分的に前記パラメータの第１のセットおよびこのセットの関連する有効性に基づいて、記憶されたパラメータのセットを導出することと、
システム情報に関連したパラメータの第２のセットを含んでいる第２のメッセージを受信することであって、前記パラメータの第２のセットが第２の有効性を有する、第２のメッセージを受信することと、
前記第２の有効性が前記第１の有効性に取って代わるとき、前記記憶されたパラメータのセットを変更することとを含む、方法。
【請求項２】
前記第１のメッセージが専用システム情報を含み、前記第２のメッセージが共用システム情報を含む、請求項１に記載の方法。
【請求項３】
前記パラメータの第２のセットがシステム情報ブロックであり、前記第２のメッセージがゼロ以上の追加のシステム情報ブロックを含有している、請求項２に記載の方法。
【請求項４】
前記第１のメッセージが共用システム情報を含み、前記第２のメッセージが専用システム情報を含む、請求項１に記載の方法。
【請求項５】
前記パラメータの第１のセットがシステム情報ブロックであり、前記第１のメッセージがゼロ以上の追加のシステム情報ブロックを含有している、請求項４に記載の方法。
【請求項６】
前記第１の有効性が第１の有効性指示に基づくものであり、前記第２の有効性が第２の有効性指示に基づくものであり、
前記第１の有効性指示を前記第２の有効性指示と比較して、前記第２の有効性が前記第１の有効性に取って代わるかどうかを判定することをさらに含む、請求項１から５のいずれか一項に記載の方法。
【請求項７】
前記第１の有効性指示が第１のバージョンインジケータを含み、前記第２の有効性指示が第２のバージョンインジケータを含み、
前記第２のバージョンインジケータが前記第１のバージョンインジケータよりも最近のバージョンを含むとき、前記第２の有効性が前記第１の有効性に取って代わる、請求項６に記載の方法。
【請求項８】
前記第１の有効性または前記第２の有効性のうち少なくとも１つにタイマが関連づけられており、
前記タイマが満了したかどうかを判定して、前記第２の有効性が前記第１の有効性に取って代わるかどうかを判定することをさらに含む、請求項１から７のいずれか一項に記載の方法。
【請求項９】
前記記憶されたパラメータのセットを変更することが、
前記記憶されたパラメータのセットにおけるパラメータを、前記パラメータの第２のセットからの対応するパラメータで置換することと、
前記パラメータの第２のセットからのパラメータを、前記記憶されたパラメータのセットに追加することと、
前記パラメータの第２のセットに含有されている情報に基づいて、前記記憶されたパラメータのセットからパラメータを除去することと、
から成るグループから選択された１つまたは複数の変更に基づいて、前記記憶されたパラメータのセットを変更することを含む、請求項１から８のいずれか一項に記載の方法。
【請求項１０】
システム情報を管理するためのユーザ機器（ＵＥ）であって、
システム情報に関連したパラメータの第１のセットを含んでいる第１のメッセージを受信するように設定されたインターフェースサーキットリであって、前記パラメータの第１のセットが第１の有効性を有する、インターフェースサーキットリと、
前記インターフェースサーキットリに結合されており、少なくとも部分的に前記パラメータの第１のセットおよびこのセットの関連する有効性に基づき、記憶されたパラメータのセットを導出するように設定された、処理サーキットリと、
を備えており、
前記インターフェースサーキットリは、システム情報に関連したパラメータの第２のセットを含んでいる第２のメッセージを受信するようにさらに設定され、前記パラメータの第２のセットが第２の有効性を有し、
前記第２の有効性が前記第１の有効性に取って代わるとき、前記処理サーキットリは、前記記憶されたパラメータのセットを変更するようにさらに設定され、
さらに、
前記処理サーキットリおよび前記インターフェースサーキットリに電力を供給するように設定された電源サーキットリを備える、
ユーザ機器（ＵＥ）。
【請求項１１】
前記第１のメッセージが専用システム情報を含み、前記第２のメッセージが共用システム情報を含む、請求項１０に記載のＵＥ。
【請求項１２】
前記パラメータの第２のセットがシステム情報ブロックであり、前記第２のメッセージがゼロ以上の追加のシステム情報ブロックを含有している、請求項１１に記載のＵＥ。
【請求項１３】
前記第１のメッセージが共用システム情報を含み、前記第２のメッセージが専用システム情報を含む、請求項１０に記載のＵＥ。
【請求項１４】
前記パラメータの第１のセットがシステム情報ブロックであり、前記第１のメッセージがゼロ以上の追加のシステム情報ブロックを含有している、請求項１３に記載のＵＥ。
【請求項１５】
前記第１の有効性が第１の有効性指示に基づくものであり、前記第２の有効性が第２の有効性指示に基づくものであり、
前記処理サーキットリが、前記第１の有効性指示を前記第２の有効性指示と比較して、前記第２の有効性が前記第１の有効性に取って代わるかどうかを判定するようにさらに設定されている、請求項１０から１４のいずれか一項に記載のＵＥ。
【請求項１６】
前記第１の有効性指示が第１のバージョンインジケータを含み、前記第２の有効性指示が第２のバージョンインジケータを含み、
前記第２のバージョンインジケータが前記第１のバージョンインジケータよりも最近のバージョンを含むとき、前記第２の有効性が前記第１の有効性に取って代わる、請求項１５に記載のＵＥ。
【請求項１７】
前記第１の有効性または前記第２の有効性のうちの少なくとも１つにタイマが関連づけられており、
前記処理サーキットリが、前記タイマが満了したかどうかを判定して、前記第２の有効性が前記第１の有効性に取って代わるかどうかを判定するようにさらに設定されている、請求項１０から１６のいずれか一項に記載のＵＥ。
【請求項１８】
前記記憶されたパラメータのセットを変更するように設定されたプロセッサが、
前記記憶されたパラメータのセットにおけるパラメータを、前記パラメータの第２のセットからの対応するパラメータで置換することと、
前記パラメータの第２のセットからのパラメータを、前記記憶されたパラメータのセットに追加することと、
前記パラメータの第２のセットに含有されている情報に基づいて、前記記憶されたパラメータのセットからパラメータを除去することと、
から成るグループから選択された１つまたは複数の変更に基づいて、前記記憶されたパラメータのセットを変更するようにさらに設定されている、請求項１０から１７のいずれか一項に記載のＵＥ。
【請求項１９】
非一時的コンピュータ可読媒体において符号化されたロジックおよび前記ロジックを実行するように設定されているプロセッサを備える、システム情報を管理するための無線デバイスであって、前記ロジックは、実行されるとき、前記無線デバイスに、
システム情報に関連したパラメータの第１のセットを含んでいる第１のメッセージを受信することであって、前記パラメータの第１のセットが第１の有効性を有する、第１のメッセージを受信することと、
少なくとも部分的に前記パラメータの第１のセットおよびこのセットの関連する有効性に基づいて、記憶されたパラメータのセットを導出することと、
システム情報に関連したパラメータの第２のセットを含んでいる第２のメッセージを受信することであって、前記パラメータの第２のセットが第２の有効性を有する、第２のメッセージを受信することと、
前記第２の有効性が前記第１の有効性に取って代わるとき、前記記憶されたパラメータのセットを変更することとを実行させる、無線デバイス。
【請求項２０】
前記第１のメッセージが専用システム情報を含み、前記第２のメッセージが共用システム情報を含む、請求項１９に記載の無線デバイス。
【請求項２１】
前記パラメータの第２のセットがシステム情報ブロックであり、前記第２のメッセージがゼロ以上の追加のシステム情報ブロックを含有している、請求項２０に記載の無線デバイス。
【請求項２２】
前記第１のメッセージが共用システム情報を含み、前記第２のメッセージが専用システム情報を含む、請求項１９に記載の無線デバイス。
【請求項２３】
前記パラメータの第１のセットがシステム情報ブロックであり、前記第１のメッセージがゼロ以上の追加のシステム情報ブロックを含有している、請求項２２に記載の無線デバイス。
【請求項２４】
前記第１の有効性が第１の有効性指示に基づくものであり、前記第２の有効性が第２の有効性指示に基づくものであり、
前記ロジックは、実行されるとき、前記無線デバイスに、前記第１の有効性指示を前記第２の有効性指示と比較して、前記第２の有効性が前記第１の有効性に取って代わるかどうかを判定することをさらに実行させる、請求項１９から２３のいずれか一項に記載の無線デバイス。
【請求項２５】
前記第１の有効性指示が第１のバージョンインジケータを含み、前記第２の有効性指示が第２のバージョンインジケータを含み、
前記第２のバージョンインジケータが前記第１のバージョンインジケータよりも最近のバージョンを含むとき、前記第２の有効性が前記第１の有効性に取って代わる、請求項２４に記載の無線デバイス。
【請求項２６】
前記第１の有効性または前記第２の有効性のうちの少なくとも１つにタイマが関連づけられており、
前記ロジックは、実行されるとき、前記無線デバイスに、前記タイマが満了したかどうかを判定して、前記第２の有効性が前記第１の有効性に取って代わるかどうかを判定することをさらに実行させる、請求項１９から２５のいずれか一項に記載の無線デバイス。
【請求項２７】
前記ロジックは、実行されるとき、
前記記憶されたパラメータのセットにおけるパラメータを、前記パラメータの第２のセットからの対応するパラメータで置換することと、
前記パラメータの第２のセットからのパラメータを、前記記憶されたパラメータのセットに追加することと、
前記パラメータの第２のセットに含有されている情報に基づいて、前記記憶されたパラメータのセットからパラメータを除去することと、
から成るグループから選択された１つまたは複数の変更に基づいて、前記無線デバイスに、前記記憶されたパラメータのセットを変更することを実行させる、請求項１９から２６のいずれか一項に記載の無線デバイス。
【請求項２８】
専用システム情報および共用システム情報を管理するためのシステムであって、
システム情報に関連したパラメータの第１のセットを含んでいる第１のメッセージを送信するように設定されているネットワークノードであって、前記パラメータの第１のセットが第１の有効性を有する、ネットワークノードと、
前記第１のメッセージを受信して、少なくとも部分的に前記パラメータの第１のセットおよびこのセットの関連する有効性に基づき、記憶されたパラメータのセットを導出するように設定されているユーザ機器と、
を備えており、
前記ネットワークノードは、システム情報に関連したパラメータの第２のセットを含んでいる第２のメッセージを送信するようにさらに設定され、前記パラメータの第２のセットが第２の有効性を有し、
前記ユーザ機器は、前記第２のメッセージを受信して、前記第２の有効性が前記第１の有効性に取って代わるとき、前記記憶されたパラメータのセットを変更するようにさらに設定されている、
システム。
【発明の詳細な説明】
【技術分野】
【０００１】
本発明は一般に通信システムを対象とし、より具体的には専用システム情報および共用システム情報の管理を対象とするものである。
【背景技術】
【０００２】
現在の通信システムでは、ユーザ機器（「ＵＥ」）などの無線通信デバイスにユニキャストされる専用システム情報（「ＳＩ」）の取扱いは、基地局などの無線アクセスノードからブロードキャストされる共用ＳＩを考えれば不明瞭である。ＵＥは、専用システム情報および共用システム情報を受信したとき、通信システムにおいてどのシステム情報を最も効率よく通信するように採用するべきか、判定しなくてはならない。これは、もちろん、オペレータの方針、ＵＥの能力、加入データ、または第３世代パートナーシッププログラム（「３ＧＰＰ」）規格などにおいて規定された設計選択を含む多くの要因に制限なく依拠する可能性がある。
【０００３】
セルにおけるＳＩの従来の周期的ブロードキャストに加えて、３ＧＰＰの内部で論じられている第５世代／新無線（５Ｇ／ＮＲ）通信システム向けに、ＳＩのオンデマンドデリバリの概念が検討されている。オンデマンドのＳＩを使用するやり方の１つには、オンデマンドのＳＩデリバリ要求が周期的に繰り返されるあらかじめ設定された機会（および／またはリソース）のうち１つまたは複数において追加ＳＩのブロードキャストを起動し得るものがある。オンデマンドデリバリを使用するこのやり方は、アイドル状態／インアクティブ状態のＵＥによって使用されるように意図されており、要求／トリガは専用プリアンブルの（すなわちランダムアクセスプリアンブルに類似または同一の）形態を有し得る。簡単なプリアンブルベースのＳＩ要求に対する代案には、アイドル状態／インアクティブのＵＥからのランダムアクセスプリアンブルの送信、ネットワーク（たとえばｇＮＢ）からのランダムアクセスの応答、それに続く明示的要求メッセージから成る、３段階のメッセージ交換によって要求が達成されるものがある（たとえば、要求が、場合により、有効なオンデマンドのＳＩの要求された部分など入念に作られた詳細を伴う、競合解除のない「不完全な」ランダムアクセスプロシージャがあり、要求は、一般にランダムアクセスプロシージャのメッセージ３（Ｍｓｇ  ３）と称されるものに含まれる）。
【０００４】
オンデマンドのＳＩデリバリを使用する別のやり方には、オンデマンドのＳＩデリバリ要求が、要求しているＵＥ向けに専用の応答を起動するものがある。この変形形態は、アイドル状態／インアクティブ状態のＵＥまたは結合状態／アクティブ状態のＵＥのうち一方（または両方）によって使用されるように設計され得る。前者の場合、要求／トリガは、追加ＳＩのブロードキャストを起動する場合のように専用のプリアンブルでよく、ｇＮＢ／ＴＲＰは、直ちに（または上記のような周期的に繰り返されるあらかじめ設定された機会および／またはリソースにおいて）応答し得て、要求しているＵＥの方向に（ｇＮＢ／ＴＲＰにおける指向性の相互性に基づいて、または要求送信に使用されるＰＲＡＣＨリソースおよび／もしくはプリアンブルに基づいて）応答をビーム形成し得る。要求しているＵＥが結合状態／アクティブ状態（たとえば５Ｇ／ＮＲのＲＲＣ＿ＣＯＮＮＥＣＴＥＤ状態）である後者の場合には、ＵＥは、可能性として詳細かつ精細なＳＩ要求をＲＲＣメッセージの形式で送ることができ、ｇＮＢ／ネットワークは、要求しているＵＥに宛てたＲＲＣメッセージで応答することになる（図４を参照されたい）。
【０００５】
オンデマンドのＳＩを、より伝統的なＳＩのブロードキャストに適応させるやり方には、ＳＩを２つの部分に分割するものがあり、一方の部分が周期的にブロードキャストされ、他方の部分はオンデマンドで利用可能になる。５Ｇ／ＮＲでは、ＳＩは「最小限のＳＩ」と「他のＳＩ」に分割される。最小限のＳＩは、（マスタ情報ブロックＭＩＢおよびシステム情報ブロックタイプ１  ＳＩＢ１の形式で）周期的にブロードキャストされる。「他のＳＩ」に属するシステム情報ブロック（ＳＩＢ）は、周期的にブロードキャストされてよく、またはオンデマンドで利用可能にされてよい。「他のＳＩ」のすべてが、周期的にブロードキャストされるか、またはオンデマンドで利用可能にされてよく、あるいは「他のＳＩ」の一部分が周期的にブロードキャストされて、残りの部分がオンデマンドで利用可能にされてもよい（図５を参照されたい）。
【０００６】
それゆえに、通信システムにおける専用システム情報および共用システム情報を管理するためのシステム、無線デバイス、ネットワークノード、方法などが必要とされている。
【発明の概要】
【０００７】
本明細書の実施形態の目的は、専用システム情報および共用システム情報を管理するやり方を提供することである。特定の実施形態によれば、専用システム情報および共用システム情報を管理するための方法は、システム情報に関連したパラメータの第１のセットを含んでいる第１のメッセージを受信することを含む。パラメータの第１のセットは第１の有効性を有する。この方法は、少なくとも部分的にパラメータの第１のセットおよびこのセットの関連する有効性に基づいて、記憶されたパラメータのセットを導出することを含む。この方法は、システム情報に関連したパラメータの第２のセットを含んでいる第２のメッセージを受信することをさらに含む。パラメータの第２のセットは第２の有効性を有する。この方法は、第２の有効性が第１の有効性に取って代わる（ｓｕｐｅｒｓｅｄｉｎｇ）とき、記憶されたパラメータのセットを変更することをさらに含む。
【０００８】
いくつかの実施形態によれば、第１のメッセージが専用システム情報を含み、第２のメッセージが共用システム情報を含む。これらの実施形態のうちいくつかでは、パラメータの第２のセットはシステム情報ブロックであり、第２のメッセージはゼロ以上の追加のシステム情報ブロックを含有している。
【０００９】
特定の実施形態によれば、第１のメッセージが共用システム情報を含み、第２のメッセージが専用システム情報を含む。これらの実施形態のうちいくつかでは、パラメータの第１のセットはシステム情報ブロックであり、第１のメッセージはゼロ以上の追加のシステム情報ブロックを含有している。
【００１０】
いくつかの実施形態によれば、第１の有効性は第１の有効性指示に基づくものであり、第２の有効性は第２の有効性指示に基づくものである。この方法は、第１の有効性指示を第２の有効性指示と比較して、第２の有効性が第１の有効性に取って代わるかどうかを判定することをさらに含む。これらの実施形態のうちのいくつかでは、第１の有効性指示は第１のバージョンインジケータを含み、第２の有効性指示は第２のバージョンインジケータを含む。そのような実施形態では、第２のバージョンインジケータが第１のバージョンインジケータよりも最近のバージョンを含むとき、第２の有効性が第１の有効性に取って代わる。
【００１１】
特定の実施形態によれば、第１の有効性または第２の有効性のうち少なくとも１つにはタイマが関連づけられている。そのような実施形態では、この方法は、タイマが満了したかどうかを判定して、第２の有効性が第１の有効性に取って代わるかどうかを判定することをさらに含む。
【００１２】
いくつかの実施形態によれば、この方法は、記憶されたパラメータのセットにおけるパラメータを、パラメータの第２のセットからの対応するパラメータで置換すること、パラメータの第２のセットからのパラメータを、記憶されたパラメータのセットに追加すること、または、パラメータの第２のセットに含有されている情報に基づいて、記憶されたパラメータのセットからパラメータを除去すること、から成るグループから選択された１つまたは複数の変更に基づいて、記憶されたパラメータのセットを変更することを含み得る。
【００１３】
特定の実施形態によれば、システム情報を管理するためのユーザ機器（ＵＥ）は、システム情報に関連したパラメータの第１のセットを含んでいる第１のメッセージを受信するように設定されたインターフェースサーキットリを含む。パラメータの第１のセットは第１の有効性を有し得る。ＵＥは、インターフェースサーキットリに結合された処理サーキットリも含み得る。この処理サーキットリは、少なくとも部分的にパラメータの第１のセットおよびこのセットの関連する有効性に基づいて、記憶されたパラメータのセットを導出するように設定されてよい。インターフェースサーキットリは、システム情報に関連したパラメータの第２のセットを含んでいる第２のメッセージを受信するようにさらに設定されてよい。パラメータの第２のセットは第２の有効性を有し得る。処理サーキットリは、第２の有効性が第１の有効性に取って代わるとき、記憶されたパラメータのセットを変更するように設定されている。ＵＥは、処理サーキットリおよびインターフェースサーキットリに電力を供給するように設定された電源サーキットリも含み得る。
【００１４】
特定の実施形態によれば、システム情報を管理するための無線デバイスは、非一時的コンピュータ可読媒体の中に符号化されたロジックを含む。無線デバイスは、このロジックを実行するように設定されたプロセッサも含む。このロジックが実行されると、無線デバイスは、システム情報に関連したパラメータの第１のセットを含んでいる第１のメッセージを受信する。パラメータの第１のセットは第１の有効性を有し得る。このロジックにより、無線デバイスはまた、少なくとも部分的にパラメータの第１のセットおよびこのセットの関連する有効性に基づいて、記憶されたパラメータのセットを導出し得る。このロジックが実行されると、無線デバイスは、システム情報に関連したパラメータの第２のセットを含んでいる第２のメッセージも受信し得る。パラメータの第２のセットは第２の有効性を有し得る。第２の有効性が第１の有効性に取って代わるとき、このロジックにより、無線デバイスが、記憶されたパラメータのセットを変更し得る。
【００１５】
特定の実施形態によれば、専用システム情報および共用システム情報を管理するためのシステムは、システム情報に関連したパラメータの第１のセットを含んでいる第１のメッセージを送信するように設定されたネットワークノードを含む。パラメータの第１のセットは第１の有効性を有し得る。このシステムは、第１のメッセージを受信するように設定されたユーザ機器も含む。このユーザ機器は、少なくとも部分的にパラメータの第１のセットおよびこのセットの関連する有効性に基づいて、記憶されたパラメータのセットを導出するようにさらに設定されている。このシステムのネットワークノードは、システム情報に関連したパラメータの第２のセットを含んでいる第２のメッセージを送信するようにさらに設定されてよい。パラメータの第２のセットは第２の有効性を有し得る。このシステムのユーザ機器は、第２のメッセージを受信するようにさらに設定されてよい。ユーザ機器は、第２の有効性が第１の有効性に取って代わるとき、記憶されたパラメータのセットを変更するように設定されてよい。
【００１６】
有利には、１つまたは複数の実施形態により、システム情報のパラメータのすべてまたはいくつかを変更することが可能になり、または可能にならない。これにより、ネットワークが、ＵＥ固有のシステム情報を提供することが可能になり得る。これにより、結果として、様々な態様に基づいてＵＥを区別することまたは分離することが可能になる。上記の実施形態の任意の機能が、適切ならどこでも任意の他の実施形態に適用される得ることに留意されたい。同様に、任意の実施形態の任意の利点が他の実施形態に当てはまり得、逆も同様である。同封の実施形態の他の目的、特徴および利点は、以下の詳細な開示、添付の特許請求の範囲および図面から明らかになるはずである。
【００１７】
一般に、特許請求の範囲で使用されるすべての用語は、本明細書で明示的に別様に規定されなければ、当技術分野における通常の意味に従って解釈されるべきである。「１つの（ａ）／１つの（ａｎ）／その（ｔｈｅ）要素、装置、構成要素、手段、ステップなど」に対するすべての参照は、別様に明白に明示されたのでなければ、要素、装置、構成要素、手段、ステップなどのうち少なくとも１つを参照するように、オープンに解釈されるべきである。本明細書で開示されたいかなる方法のステップも、明白に明示されたのでなければ、開示された順番通り正確に遂行する必要はない。
【００１８】
次に、例として、添付図面を参照しながら特定の実施形態を説明する。
【図面の簡単な説明】
【００１９】
【図１】特定の実施形態による通信システムの図示である。
【図２】特定の実施形態による無線デバイスの図示である。
【図３】特定の実施形態によるネットワークノードの図示である。
【図４】オンデマンドのシステム情報を要求する信号のやり取りの図示である。
【図５】一部分が周期的ブロードキャストによって供給され、一部分がオンデマンドの要求によって供給される、システム情報の内訳の図示である。
【図６】特定の実施形態による信号のやり取りの図示である。
【図７】特定の実施形態による方法の図示である。
【図８】特定の実施形態による方法の図示である。
【図９】特定の実施形態による信号のやり取りの図示である。
【図１０】特定の実施形態による方法の図示である。
【発明を実施するための形態】
【００２０】
異なる図における対応する数字およびシンボルは、別様に指示されなければ一般に対応する部分を指し、第１の事例の後では、簡潔さのために再説明はされないことがある。
【００２１】
次に、添付図面を参照しながら、特許請求の範囲によって企図される実施形態のうちのいくつかを、以下でより十分に説明する。しかしながら、他の実施形態は特許請求の範囲内に含有されており、特許請求の範囲は本明細書で明らかにされた実施形態のみに限定されるように解釈されるべきではなく、むしろ、これらの実施形態は、この開示が完全に完結するように、また当業者に対して発明概念の範囲を完全に伝えるように、例として提供されるものである。説明の全体にわたって、類似の番号は類似の要素を指す。原理は第３世代パートナーシッププログラム（「３ＧＰＰ」）通信システムの環境において説明されるが、Ｗｉ−Ｆｉ無線通信システムなどの任意の環境も明確に本開示の範囲内に入る。
【００２２】
最初に図１〜図３を参照すると、通信システムの実施形態の図およびそれらの各部分が図示されている。図１は特定の実施形態による通信システムを図示するものである。図１に示されるように、通信システムは、無線通信デバイス（略して無線デバイス）の１つまたは複数のインスタンスを含む（そのうち１つが１１０で指定されている）。無線デバイスはユーザ機器（「ＵＥ」）でよい。いくつかの事例では、無線デバイスは、マシンタイプ通信（「ＭＴＣ」）ＵＥまたはマシン対マシン（「Ｍ２Ｍ」）ＵＥなど特定タイプのＵＥでよい。通信システムは、１つまたは複数の無線アクセスノードまたはネットワークノードも含む（そのうち１つは１２０で指定されている）。ネットワークノードは、ｅＮｏｄｅＢ、ｇＮＢ、または無線通信デバイス１１０の間、もしくは無線通信デバイス１１０と別の通信デバイス（地上通信線電話など）の間の通信をサポートする何らかの適切な追加要素と併せて無線通信デバイス１１０と通信することができる他の基地局でよい。図示された無線通信デバイス１１０は、ハードウェアおよび／またはソフトウェアの任意の適切な組合せを含む通信デバイスを表現し得るが、特定の実施形態では、図２によってより詳細に示された例示の無線通信デバイスなどのデバイスを表現し得るものである。同様に、図示された無線アクセスノード１２０は、ハードウェアおよび／またはソフトウェアの任意の適切な組合せを含むネットワークノードを表現し得るが、特定の実施形態では、図３によってより詳細に示された例示の無線アクセスノードなどのデバイスを表現し得るものである。
【００２３】
無線で通信することは、電磁波、電波、赤外線波、および／または空中の情報伝達に適切な他のタイプの信号を使用して、無線信号を送受信することを包含し得る。いくつかの実施形態では、ＷＤは、人間との直接的な相互作用なしで情報を送受信するように設定され得る。たとえば、ＷＤは、内部または外部のイベントによって起動されたとき、またはネットワークからの要求に応答して、所定のスケジュールに基づき、ネットワークへ情報を送信するように設計され得る。
【００２４】
図２は特定の実施形態による無線デバイスを図示するものである。無線デバイス（ＷＤ）は、ネットワークノードおよび／または他の無線デバイスと、無線通信することが可能な、無線通信するように設定された、無線通信するように配置された、かつ／または無線通信するように動作可能なデバイスを指し得る。ＷＤという用語は、本明細書では、他に断らない限りユーザ機器（ＵＥ）と区別なく使用され得るものである。ＷＤの例は、それだけではないが、スマートフォン、携帯電話、セル式電話、ボイスオーバＩＰ（ＶｏＩＰ）フォン、無線ローカルループフォン、デスクトップコンピュータ、携帯情報端末（ＰＤＡ）、無線カメラ、ゲームコンソールすなわちゲームデバイス、音楽記憶デバイス、再生機器、ウェアラブル端末デバイス、無線エンドポイント、モバイルステーション、タブレット、ノートパソコン、ノートパソコンに組み込まれた機器（ＬＥＥ）、ノートパソコンを取り付けた機器（ＬＭＥ）、スマートデバイス、無線の顧客構内機器（ＣＰＥ）、車載無線端末デバイスなどを含む。ＷＤは、たとえば、サイドリンク通信のための３ＧＰＰ規格、プッシュトーク通信、車両間（Ｖ２Ｖ）通信、車両対インフラストラクチュア（Ｖ２Ｉ）通信、車両対すべてのもの（Ｖ２Ｘ）の通信を実施することによってデバイス対デバイス（Ｄ２Ｄ）通信をサポートし得、この場合Ｄ２Ｄ通信デバイスと称され得る。もう１つの具体例として、モノのインターネット（ＩｏＴ）のシナリオでは、ＷＤは、監視および／または測定を遂行してそのような監視および／または測定の結果を別のＷＤおよび／またはネットワークノードに送信する、マシンまたは他のデバイスを表し得る。ＷＤは、この場合マシンツーマシン（Ｍ２Ｍ）デバイスでよく、３ＧＰＰの状況ではＭＴＣデバイスと称され得る。特別な例の１つとして、ＷＤは、３ＧＰＰの狭帯域のモノのインターネット（ＮＢ−ＩｏＴ）規格を実施するＵＥでよい。そのようなマシンまたはデバイスの特定の例には、センサ、電力計、工業用機械などの計量デバイス、または家庭用機器もしくは個人用機器（たとえば冷蔵庫、テレビなど）、個人用ウェアラブル（たとえば腕時計、フィットネストラッカなど）がある。他のシナリオでは、ＷＤは、それ自体の運転状態もしくは動作に関連した他の機能について監視することおよび／または報告することが可能な車両または他の機器を表し得る。
【００２５】
図２に示されるように、例示の無線通信デバイスは、アンテナ２１１、インターフェース２１４、処理サーキットリ２２０、デバイス可読媒体２３０、ユーザインターフェース機器２３２、補機２３４、電源２３６および電力サーキットリ２３７を含む。ＷＤ  ２１０は、少し例を挙げるだけでも、たとえばＧＳＭ、ＷＣＤＭＡ、ＬＴＥ、ＮＲ、Ｗｉ−Ｆｉ、ＷｉＭＡＸ、またはブルートゥース無線技術など、ＷＤ  ２１０によってサポートされる種々の無線技術用の図示された１つまたは複数の構成要素の複数のセットを含み得る。これらの無線技術は、ＷＤ  ２１０の内部の他の構成要素として、同一のチップもしくは別々のチップまたはチップのセットに組み込まれ得るものである。特定の実施形態では、本明細書においてＷＤが遂行すると説明された機能性のいくつかまたはすべてが、特定の実施形態ではコンピュータ可読記憶媒体であり得るデバイス可読媒体２３０に記憶された命令を実行する処理サーキットリ２２０によってもたらされ得る。特定の実施形態では、機能性のうちいくつかまたはすべてが、処理サーキットリ２２０によって、別個のデバイスすなわち個別デバイスにとって可読の記憶媒体に記憶された命令を実行することなく、配線接続のやり方などで提供され得る。それらの特別な実施形態のあらゆるものにおいて、デバイス可読記憶媒体に記憶された命令の実行の有無にかかわらず、処理サーキットリ２２０は説明された機能性を遂行するように設定され得る。そのような機能性によってもたらされる利点は、単体の処理サーキットリ２２０またはＷＤ  ２１０の他の構成要素に限定されず、一般に、全体としてのＷＤ  ２１０ならびに／あるいはエンドユーザおよび無線ネットワークによって享受される。無線通信デバイスの代替実施形態に含まれ得る、図２に示されたもの以上のさらなる構成要素は、前述の機能のうち任意のものおよび／または本明細書で説明された解決策をサポートするのに必要なあらゆる機能性を含む、デバイスの機能性の特定の態様をもたらすことを担い得るものである。
【００２６】
処理サーキットリ２２０は、１つまたは複数の処理デバイスを用いて実施されてよい。処理サーキットリ２２０は、アンテナの利得／位相パラメータのプリコーディング、通信メッセージを形成する個々のビットの符号化および復号化、情報のフォーマット化、およびそれぞれの通信デバイスの全体的制御を含めて、処理サーキットリ自体の動作に関連した機能を制限なく遂行し得る。通信リソースの管理に関係のある例示的機能には、ハードウェアの据え付け、輸送管理、パフォーマンスデータ分析、設定管理、セキュリティ、請求などが制限なく含まれる。処理サーキットリ２２０は、ローカルアプリケーション環境に適切な任意のタイプでよい。処理サーキットリ２２０は、マイクロプロセッサ、コントローラ、マイクロコントローラ、中央処理装置、デジタル信号プロセッサ、特定用途向け集積回路、フィールドプログラマブルゲートアレイ、もしくは任意の他の適切なコンピュータデバイス、リソースのうち、１つまたは複数の組合せ、あるいは、単独で、またはデバイス可読媒体２３０などＷＤ  ２１０の他の構成要素と併せて、ＷＤ  ２１０の機能をもたらすように動作可能なハードウェア、ソフトウェアおよび／または符号化されたロジックの組合せを備え得る。そのような機能性には、本明細書で論じた様々な無線の特徴または利点のうち任意のものをもたらすことが含まれ得る。たとえば、処理サーキットリ２２０は、デバイス可読媒体２３０または処理サーキットリ２２０の内部のメモリに記憶された命令を実行して、本明細書で開示された機能性をもたらし得る。
【００２７】
図示のように、処理サーキットリ２２０は、ＲＦトランシーバサーキットリ２２２、ベースバンド処理サーキットリ２２４、およびアプリケーション処理サーキットリ２２６のうち１つまたは複数を含む。他の実施形態では、処理サーキットリは、異なる構成要素および／または異なる構成要素の組合せを備え得る。特定の実施形態では、ＷＤ  ２１０の処理サーキットリ２２０はＳＯＣを備え得る。いくつかの実施形態では、ＲＦトランシーバサーキットリ２２２、ベースバンド処理サーキットリ２２４、およびアプリケーション処理サーキットリ２２６は、個別のチップ上またはチップのセット上に存在してよい。代替実施形態では、ベースバンド処理サーキットリ２２４およびアプリケーション処理サーキットリ２２６の一部分またはすべてが、１つのチップまたはチップのセットへと組み合わされてよく、ＲＦトランシーバサーキットリ２２２は個別のチップ上またはチップのセット上に存在してよい。さらなる代替実施形態では、ＲＦトランシーバサーキットリ２２２およびベースバンド処理サーキットリ２２４の一部分またはすべてが、同一のチップ上またはチップのセット上に存在してよく、アプリケーション処理サーキットリ２２６は個別のチップ上またはチップのセット上に存在してよい。さらに他の代替実施形態では、ＲＦトランシーバサーキットリ２２２、ベースバンド処理サーキットリ２２４、およびアプリケーション処理サーキットリ２２６の一部分またはすべてが、同一のチップまたはチップのセットにおいて組み合わされてよい。いくつかの実施形態では、ＲＦトランシーバサーキットリ２２２はインターフェース２１４の一部分でよい。ＲＦトランシーバサーキットリ２２２は、処理サーキットリ２２０向けにＲＦ信号を調整し得る。
【００２８】
処理サーキットリ２２０は、本明細書でＷＤによって遂行される動作として説明されたあらゆる判定する動作、計算する動作、または類似の動作（たとえば特定の取得する動作）を遂行するように設定され得る。処理サーキットリ２２０によって遂行されるこれらの動作は、処理サーキットリ２２０によって得られた情報をたとえば他の情報に変換することによって処理し、得られた情報または変換後の情報をＷＤ  ２１０に記憶された情報と比較する動作、ならびに／あるいは得られた情報または変換後の情報に基づいて１つまたは複数の動作を遂行し、前記処理の結果として判定する動作を含み得る。
【００２９】
デバイス可読媒体２３０は、１つまたは複数の記憶装置でよく、ローカルアプリケーション環境に適切な任意のタイプでもよく、半導体ベースのメモリデバイス、磁気記憶デバイスおよびシステム、光記憶デバイスおよびシステム、固定記憶装置および取外し可能記憶装置など、任意の適切な揮発性または不揮発性のデータ記憶技術を使用して実施され得る。デバイス可読媒体２３０は、処理サーキットリ２２０によって使用され得る、コンピュータプログラムと、ソフトウェアと、ロジック、ルール、コード、表、データ、命令などのうち１つまたは複数を含むアプリケーションとを記憶するように動作可能であり得る。記憶装置に記憶されるプログラムには、関連するプロセッサによって実行されたとき、それぞれの通信デバイスが自身の意図されたタスクを遂行することを可能にするプログラム命令またはコンピュータプログラムコードが含まれ得る。もちろん、記憶装置は、記憶装置の間で送受信されるデータのためのデータバッファを形成してよい。本明細書で説明されたようなシステム、サブシステム、およびモジュールの例示的実施形態は、プロセッサによって実行可能なコンピュータソフトウェア、ハードウェア、またはこれらの組合せによって少なくとも部分的に実施され得る。いくつかの実施形態では、処理サーキットリ２２０とデバイス可読媒体２３０を一体化するように考えられ得る。
【００３０】
図示のように、インターフェース２１４は無線フロントエンドサーキットリ２１２およびアンテナ２１１を備える。無線フロントエンドサーキットリ２１２は、１つまたは複数のフィルタ２１８および増幅器２１６を備える。無線フロントエンドサーキットリ２１２は、アンテナ２１１および処理サーキットリ２２０に接続されており、アンテナ２１１と処理サーキットリ２２０の間で通信される信号を調整するように設定されている。無線フロントエンドサーキットリ２１２は、アンテナ２１１に結合されてよく、またはアンテナ２１１の一部分でもよい。いくつかの実施形態では、ＷＤ  ２１０が個別の無線フロントエンドサーキットリ２１２を含まなくてよく、むしろ、処理サーキットリ２２０が無線フロントエンドサーキットリを備えてアンテナ２１１に接続され得る。同様に、いくつかの実施形態では、ＲＦトランシーバサーキットリ２２２のいくつかまたはすべてがインターフェース２１４の一部分と見なされ得る。無線フロントエンドサーキットリ２１２が受信し得るデジタルデータは、無線接続を通じて他のネットワークノードまたはＷＤに発送されるものである。無線フロントエンドサーキットリ２１２は、フィルタ２１８および／または増幅器２１６の組合せを使用して、デジタルデータを、適切なチャネルおよび帯域幅のパラメータを有する無線信号に変換してよい。次いで、無線信号は、アンテナ２１１を通じて送信されてよい。同様に、データを受信するときには、アンテナ２１１によって収集された無線信号が無線フロントエンドサーキットリ２１２によってデジタルデータに変換される。デジタルデータは処理サーキットリ２２０に渡され得る。他の実施形態では、インターフェースは、異なる構成要素および／または異なる構成要素の組合せを備え得る。
【００３１】
アンテナ２１１に含まれ得る１つまたは複数のアンテナまたはアンテナ配列は、無線信号を送受信するように設定されてインターフェース２１４に接続されている。特定の代替実施形態では、アンテナ２１１はＷＤ  ２１０から分離されてよく、インターフェースまたはポートを介してＷＤ  ２１０に接続可能であり得る。アンテナ２１１、インターフェース２１４、および／または処理サーキットリ２２０は、本明細書においてＷＤが遂行するものと説明されたあらゆる受信動作または送信動作を遂行するように設定され得る。任意の情報、データおよび／または信号が、ネットワークノードおよび／または別のＷＤから受信され得る。いくつかの実施形態では、無線フロントエンドサーキットリおよび／またはアンテナ２１１はインターフェースと見なされてよい。
【００３２】
ユーザインターフェース機器２３２は、人間のユーザがＷＤ  ２１０と相互作用することを可能にする構成要素をもたらし得る。そのような相互作用は、視覚、聴覚、触覚など多くの形態であり得る。ユーザインターフェース機器２３２は、ユーザに対して出力を生成し、ユーザがＷＤ  ２１０に入力を供給することを可能にするように動作可能であり得る。相互作用のタイプは、ＷＤ  ２１０にインストールされたユーザインターフェース機器２３２のタイプに依拠して変化し得る。たとえば、ＷＤ  ２１０がスマートフォンであれば、相互作用はタッチスクリーンを介するものであり得、ＷＤ  ２１０がスマートメータであれば、相互作用は、使用量（たとえば使用されたガロン数）を与えるスクリーン、または（たとえば煙が検知された場合に）音響式警報をもたらすスピーカを介するものであり得る。ユーザインターフェース機器２３２は、入力のインターフェース、デバイスおよび回路、ならびに出力のインターフェース、デバイスおよび回路を含み得る。ユーザインターフェース機器２３２は、ＷＤ  ２１０への情報の入力を可能にするように設定されて処理サーキットリ２２０に接続され、処理サーキットリ２２０が入力情報を処理することを可能にする。ユーザインターフェース機器２３２は、たとえばマイクロフォン、近接センサもしくは他のセンサ、キー／ボタン、タッチディスプレイ、１つもしくは複数のカメラ、ＵＳＢポート、または他の入力サーキットリを含み得る。ユーザインターフェース機器２３２は、ＷＤ  ２１０から情報を出力することを可能にし、処理サーキットリ２２０がＷＤ  ２１０から情報を出力することを可能にするようにも設定されている。ユーザインターフェース機器２３２は、たとえばスピーカ、表示器、振動サーキットリ、ＵＳＢポート、ヘッドフォンインターフェースまたは他の出力サーキットリを含み得る。ＷＤ  ２１０は、ユーザインターフェース機器２３２の１つまたは複数の入力のインターフェース、デバイスまたは回路と、出力のインターフェース、デバイスまたは回路とを使用して、エンドユーザおよび／または無線ネットワークと通信し、これらが本明細書で説明された機能性から利益を得ることを可能にし得る。
【００３３】
補助機器２３４は、ＷＤによって一般に遂行され得ない、より特殊な機能性をもたらすように動作可能である。これは、様々な目的で測定をするための特定のセンサ、有線通信などの追加のタイプの通信用インターフェースを備え得る。補助機器２３４の構成要素の含有およびタイプは、実施形態および／またはシナリオに依拠して異なり得る。
【００３４】
電源２３６は、いくつかの実施形態ではバッテリーまたはバッテリーパックの形態でよい。外部電源（たとえば電気のコンセント）、光起電力デバイスまたは動力電池など他のタイプの電源も使用され得る。ＷＤ  ２１０がさらに備え得る電力サーキットリ２３７は、本明細書で説明または指示された何らかの機能性を実行するのに電源２３６からの電力を必要とするＷＤ  ２１０の様々な部品に電源２３６からの電力を配送するためのものである。電力サーキットリ２３７は、特定の実施形態では電力管理サーキットリを備え得る。電力サーキットリ２３７は、それに加えて、またはその代わりに、外部電源から電力を受け取るように動作可能であってよく、その場合、ＷＤ  ２１０は、入力サーキットリまたは電力ケーブルなどのインターフェースを介して外部電源（電気のコンセントなど）に接続可能でよい。電力サーキットリ２３７はまた、特定の実施形態では、外部電源からの電力を電源２３６に配送するように動作可能であり得る。これは、たとえば電源２３６を充電するためでよい。電力サーキットリ２３７は、電力を、供給されるＷＤ  ２１０のそれぞれの構成要素向けに適切なものにするために、電源２３６との間でやり取りする電力に対して、任意の調整、変換、または他の変更を遂行してよい。
【００３５】
図３は特定の実施形態によるネットワークノードを図示するものである。ネットワークノードは、無線デバイスに対する無線アクセスを可能にするため、および／または無線アクセスをもたらすため、ならびに／あるいは無線ネットワークにおける他の機能（たとえば管理）を遂行するために、無線ネットワークにおける無線デバイスおよび／または他のネットワークノードもしくは機器と直接的または間接的に通信することができ、通信するように設定され、通信するように配置され、かつ／または通信するように動作可能な機器を指し得る。ネットワークノードの例には、それだけではないが、アクセスポイント（ＡＰ）（たとえば無線アクセスポイント）、基地局（ＢＳ）（たとえば無線基地局、ノードＢ、エボルブドノードＢ（ｅＮＢ）およびＮＲ  ＮｏｄｅＢ（ｇＮＢ））を含む。基地局は、提供するカバレッジの量（言い方を変えれば送信電力レベル）に基づいて分類され得て、フェムト基地局、ピコ基地局、マイクロ基地局、またはマクロ基地局とも称され得る。基地局は、中継を制御する中継ノードまたは中継ドナーノードでよい。ネットワークノードは、集中型デジタルユニット、および／またはリモート無線ヘッド（ＲＲＨ）と称されることもあるリモート無線ユニット（ＲＲＵ）など、分散型無線基地局の１つまたは複数の（あるいはすべての）部分も含み得る。そのようなリモート無線ユニットは、アンテナ一体型無線としてアンテナに組み込まれてよく、組み込まれなくてもよい。分散型無線基地局の部品は、分散型アンテナシステム（ＤＡＳ）におけるノードと称されることもある。ネットワークノードのさらなる例には、ＭＳＲ  ＢＳなどのマルチスタンダード無線（ＭＳＲ）設備、無線ネットワークコントローラ（ＲＮＣ）または基地局コントローラ（ＢＳＣ）などのネットワークコントローラ、ベーストランシーバ局（ＢＴＳ）、送信ポイント、送信ノード、マルチセル／マルチキャスト協調エンティティ（ＭＣＥ）、コアネットワークノード（たとえばＭＳＣ、ＭＭＥ）、Ｏ＆Ｍノード、ＯＳＳノード、ＳＯＮノード、測位ノード（たとえばＥ−ＳＭＬＣ）、および／またはＭＤＴが含まれる。別の例として、ネットワークノードは、以下でより詳細に説明されるような仮想ネットワークノードでよい。しかしながら、より一般的には、ネットワークノードは、無線デバイスに対して無線ネットワークへのアクセスを可能にし、かつ／または提供する、あるいは無線ネットワークにアクセスした無線デバイスに対していくつかのサービスを提供することができ、提供するように設定され、提供するように構成され、かつ／または提供するように動作可能な任意の適切なデバイス（またはデバイスのグループ）を表し得る。
【００３６】
図３に示されるように、例示のネットワークノードは、処理サーキットリ３７０、デバイス可読媒体３８０、インターフェース３９０、補助機器３８４、電源３８６、電力サーキットリ３８７、およびアンテナ３６２を含む。図３の例示の無線ネットワークに図示されたネットワークノード３６０は、ハードウェア構成要素の図示された組合せを含むデバイスを表現するものであるが、他の実施形態は、構成要素の異なる組合せのネットワークノードを備え得る。ネットワークノードは、本明細書で開示されたタスク、特徴、機能および方法を遂行するのに必要なハードウェアおよび／またはソフトウェアの任意の適切な組合せを備えることを理解されたい。その上に、ネットワークノード３６０の構成要素は、より大きなボックスの内部の単一のボックスとして表されているか、または複数のボックスの中に重ね合わされているが、実際には、ネットワークノードは、単一の図示された構成要素を構成する複数の異なる物理的構成要素を備え得る（たとえば、デバイス可読媒体３８０は、複数の個別のハードディスクならびに複数のＲＡＭモジュールを備え得る）。同様に、ネットワークノード３６０は、複数の物理的に分離した構成要素（たとえばＮｏｄｅＢ構成要素およびＲＮＣ構成要素、あるいはＢＴＳ構成要素およびＢＳＣ構成要素など）から成り得、各構成要素が独自の構成要素を有し得る。ネットワークノード３６０が複数の分離した構成要素（たとえばＢＴＳ構成要素およびＢＳＣ構成要素）を備える特定のシナリオでは、分離した構成要素のうち１つまたは複数がいくつかのネットワークノードの間で共有され得る。たとえば、単一のＲＮＣが複数のＮｏｄｅＢを制御してよい。そのようなシナリオでは、固有のＮｏｄｅＢとＲＮＣの対のそれぞれが、いくつかの事例では単一の分離したネットワークノードと考えられ得る。いくつかの実施形態では、ネットワークノード３６０は、複数の無線アクセス技術（ＲＡＴ）をサポートするように設定され得る。そのような実施形態では、いくつかの構成要素は二重（たとえば異なるＲＡＴ用の個別のデバイス可読媒体３８０）にされてよく、いくつかの構成要素は再利用されてよい（たとえばＲＡＴによって同一のアンテナ３６２が共有され得る）。ネットワークノード３６０は、たとえばＧＳＭ、ＷＣＤＭＡ、ＬＴＥ、ＮＲ、Ｗｉ−Ｆｉ、またはブルートゥース無線技術など、ネットワークノード３６０に一体化された異なる無線技術のための様々な図示された構成要素の複数のセットをも含み得る。これらの無線技術は、同一または別々のチップまたはチップのセットおよびネットワークノード３６０の内部の他の構成要素に組み込まれ得る。
【００３７】
特定の実施形態では、本明細書で説明された機能性のいくつかまたはすべてが、基地局、ノードＢ、拡張されたノードＢ、基地局コントローラ、無線ネットワークコントローラ、中継局によってもたらされ得、かつ／または、任意の他のタイプのネットワークノードが、図３に示された記憶装置３８０などのコンピュータ可読媒体に記憶された命令を実行する処理サーキットリ３７０によってもたらされ得る。無線アクセスノードの代替実施形態は、上記で識別された機能性および／または本明細書で説明された解決策をサポートするのに必要な任意の機能性のうち任意のものを含めて追加の機能性を担う追加部品を含み得る。
【００３８】
処理サーキットリ３７０は、１つまたは複数の処理デバイスを用いて実施されてよい。処理サーキットリ３７０は、アンテナの利得／位相パラメータのプリコーディング、通信メッセージを形成する個々のビットの符号化および復号化、情報のフォーマット化、およびそれぞれの通信デバイスの全体的制御を含めて、自身の動作に関連した機能を制限なく遂行し得る。通信リソースの管理に関係のある例示的機能には、ハードウェアの据え付け、輸送管理、パフォーマンスデータ分析、設定管理、セキュリティ、請求などが制限なく含まれる。プロセッサはローカルアプリケーション環境に適切な任意のタイプでよく、非限定的な例として、汎用コンピュータ、専用コンピュータ、マイクロプロセッサ、デジタル信号プロセッサ（「ＤＳＰ」）、フィールドプログラマブルゲートアレイ（「ＦＰＧＡ」）、特定用途向け集積回路（「ＡＳＩＣ」）、およびマルチコアプロセッサアーキテクチャに基づくプロセッサのうち１つまたは複数を含み得る。
【００３９】
処理サーキットリ３７０は、本明細書でネットワークノードによってもたらされる動作として説明されたあらゆる判定する動作、計算する動作、または類似の動作（たとえば特定の取得する動作）を遂行するように設定されている。処理サーキットリ３７０によって遂行されるこれらの動作は、処理サーキットリ３７０によって得られた情報をたとえば他の情報に変換することによって処理すること、得られた情報または変換後の情報をネットワークノードに記憶された情報と比較すること、ならびに／あるいは得られた情報または変換後の情報に基づいて１つまたは複数の動作を遂行し、前記処理の結果として判定することを含み得る。
【００４０】
特定の実施形態では、ネットワークノード、基地局、ｅＮＢ、または他のそのようなネットワークデバイスによってもたらされるものとして本明細書で説明された機能性のいくつかまたはすべては、処理サーキットリ３７０の内部のデバイス可読媒体３８０または記憶装置に記憶された命令を実行する処理サーキットリ３７０によって遂行されてよい。代替実施形態では、機能性のうちいくつかまたはすべてが、処理サーキットリ３７０によって、別個のデバイスすなわち個別デバイスに可読の媒体に記憶された命令を実行することなく、配線接続のやり方などでもたらされ得る。それらの実施形態のあらゆるものにおいて、デバイス可読記憶媒体に記憶された命令の実行の有無にかかわらず、処理サーキットリ３７０は、説明された機能性を遂行するように設定され得る。そのような機能性によってもたらされる利点は、単体の処理サーキットリ３７０またはネットワークノード３６０の他の構成要素に限定されず、一般に、全体としてのネットワークノード３６０ならびに／あるいはエンドユーザおよび無線ネットワークによって享受される。
【００４１】
処理サーキットリ３７０は、マイクロプロセッサ、コントローラ、マイクロコントローラ、中央処理装置、デジタル信号プロセッサ、特定用途向け集積回路、フィールドプログラマブルゲートアレイ、もしくは任意の他の適切なコンピューティングデバイス、リソースのうち１つまたは複数の組合せ、あるいは、単独で、またはデバイス可読媒体３８０などネットワークノード３６０の他の構成要素と併せて、ネットワークノード３６０の機能性をもたらすように動作可能なハードウェア、ソフトウェアおよび／または符号化されたロジックの組合せを備え得る。たとえば、処理サーキットリ３７０は、デバイス可読媒体３８０または処理サーキットリ３７０の内部のメモリに記憶された命令を実行し得る。そのような機能性には、本明細書で論じた様々な無線の特徴、機能、または利点のうち任意のものをもたらすことが含まれ得る。いくつかの実施形態では、処理サーキットリ３７０はシステムオンチップ（ＳＯＣ）を含み得る。
【００４２】
いくつかの実施形態では、処理サーキットリ３７０は、無線周波数（ＲＦ）トランシーバサーキットリ３７２およびベースバンド処理サーキットリ３７４のうち１つまたは複数を含み得る。いくつかの実施形態では、無線周波数（ＲＦ）トランシーバサーキットリ３７２およびベースバンド処理サーキットリ３７４は、個別のチップ（またはチップのセット）上、基板上、または無線ユニットおよびデジタルユニットなどのユニット上に存在し得る。代替実施形態では、ＲＦトランシーバサーキットリ３７２およびベースバンド処理サーキットリ３７４の一部分またはすべてが、同一のチップまたはチップのセット上、基板上、またはユニット上に存在し得る。
【００４３】
デバイス可読媒体３８０は、ローカルアプリケーション環境に対して適切な任意のタイプの１つまたは複数の記憶装置でよく、処理サーキットリ３７０によって使用され得る情報、データ、および／または命令を記憶し得るものである。デバイス可読媒体３８０は、半導体ベースのメモリデバイス、磁気の記憶デバイスおよびシステム、光学的記憶デバイスおよびシステム、固定記憶装置および取外し可能記憶装置など、任意の適切な揮発性または不揮発性のデータ記憶技術を使用して実施されてよい。記憶装置に記憶されるプログラムには、関連するプロセッサによって実行されたとき、ネットワークノード３６０が自身の意図されたタスクを遂行することを可能にするプログラム命令またはコンピュータプログラムコードが含まれ得る。もちろん、記憶装置は、記憶装置の間で送受信されるデータのためのデータバッファを形成してよい。本明細書で説明されたようなシステム、サブシステム、およびモジュールの例示的実施形態は、プロセッサによって実行可能なコンピュータソフトウェア、ハードウェア、またはその組合せによって少なくとも部分的に実施され得る。デバイス可読媒体３８０は、処理サーキットリ３７０による任意の演算および／またはインターフェース３９０を介して受信した任意のデータを記憶するように使用され得る。いくつかの実施形態では、処理サーキットリ３７０とデバイス可読媒体３８０が一体化されるように考えられてよい。
【００４４】
インターフェース３９０は、ネットワークノード３６０、帰路ネットワーク（たとえばネットワーク１３０）、および／またはＷＤ（たとえばＷＤ  １４０）の間のシグナリングおよび／またはデータの有線もしくは無線の通信において使用される。図示のように、インターフェース３９０は、たとえばネットワークとの間で有線または無線の接続を通じてデータを送受信するためのポート（複数可）／端末（複数可）３９４を備える。インターフェース３９０には、アンテナ３６２に結合され得る、または特定の実施形態ではアンテナ３６２の一部分であり得る、無線フロントエンドサーキットリ３９２も含まれる。無線フロントエンドサーキットリ３９２はフィルタ３９８および増幅器３９６を備える。無線フロントエンドサーキットリ３９２は、アンテナ３６２および処理サーキットリ３７０に接続され得る。無線フロントエンドサーキットリは、アンテナ３６２と処理サーキットリ３７０の間で通信される信号を調整するように設定されてよい。無線フロントエンドサーキットリ３９２が受信し得るデジタルデータは、無線接続を通じて他のネットワークノードまたはＷＤに発送されるものである。無線フロントエンドサーキットリ３９２はフィルタ３９８および／または増幅器３９６の組合せを使用して、デジタルデータを、適切なチャネルおよび帯域幅のパラメータを有する無線信号に変換してよい。次いで、無線信号は、アンテナ３６２を通じて送信されてよい。同様に、データを受信するときには、アンテナ３６２によって無線信号が収集されてよく、この無線信号が無線フロントエンドサーキットリ３９２によってデジタルデータに変換される。デジタルデータは処理サーキットリ３７０に渡され得る。他の実施形態では、インターフェースは、異なる構成要素および／または異なる構成要素の組合せを備え得る。
【００４５】
特定の代替実施形態では、ネットワークノード３６０は個別の無線フロントエンドサーキットリ３９２を含まなくてよく、代わりに、処理サーキットリ３７０が、無線フロントエンドサーキットリを備えて、個別の無線フロントエンドサーキットリ３９２のないアンテナ３６２に接続され得る。同様に、いくつかの実施形態では、ＲＦトランシーバサーキットリ３７２のいくつかまたはすべてがインターフェース３９０の一部分と考えられ得る。さらに別の実施形態では、インターフェース３９０が、無線ユニット（図示せず）の一部分として、１つまたは複数のポートまたは端末３９４、無線フロントエンドサーキットリ３９２、およびＲＦトランシーバサーキットリ３７２を含んでよく、デジタルユニット（図示せず）の一部分であるベースバンド処理サーキットリ３７４と通信し得る。
【００４６】
アンテナ３６２は１つまたは複数のアンテナまたはアンテナアレイを含み得、無線信号を送受信するように設定されている。アンテナ３６２はデータおよび／または信号を無線で送受信できる任意のタイプのアンテナでよく、無線フロントエンドサーキットリ３９０に結合され得る。いくつかの実施形態では、アンテナ３６２は、たとえば２ＧＨｚ〜１００ＧＨｚの無線信号を送受信するように動作可能な１つまたは複数の全方向アンテナ、セクタアンテナ、またはパネルアンテナを備え得る。全方向アンテナは任意の方向の無線信号を送受信するように使用されてよく、セクタアンテナは特別な領域内のデバイスから無線信号を送受信するように使用されてよく、パネルアンテナは、比較的直線の無線信号を送受信するために使用される見通しアンテナでよい。いくつかの事例では、複数のアンテナを使用することはＭＩＭＯと称され得る。特定の実施形態では、アンテナ３６２はネットワークノード３６０から分離されてよく、インターフェースまたはポートを介してネットワークノード３６０に接続可能であり得る。
【００４７】
アンテナ３６２、インターフェース３９０、および／または処理サーキットリ３７０は、本明細書においてネットワークノードが遂行するものと説明されたあらゆる受信動作および／または特定の取得する動作を遂行するように設定され得る。任意の情報、データおよび／または信号が、無線デバイス、別のネットワークノードおよび／または任意の他のネットワーク機器から受信され得る。同様に、アンテナ３６２、インターフェース３９０、および／または処理サーキットリ３７０は、本明細書においてネットワークノードが遂行するものと説明されたあらゆる送信動作を遂行するように設定され得る。任意の情報、データおよび／または信号が、無線デバイス、別のネットワークノードおよび／または任意の他のネットワーク機器へ送信され得る。
【００４８】
電力サーキットリ３８７は、電力管理サーキットリを備えてよく、または電力管理サーキットリに結合されてもよく、ネットワークノード３６０の構成要素に、本明細書で説明された機能性を遂行するための電力を供給するように設定されている。電力サーキットリ３８７は電源３８６から電力を受け取り得る。電源３８６および／または電力サーキットリ３８７は、ネットワークノード３６０の様々な構成要素に対して、それぞれの構成要素にとって適切な形態で（たとえばそれぞれの構成要素向けに、必要な電圧および電流のレベルで）電力を供給するように設定されてよい。電源３８６は、電力サーキットリ３８７および／またはネットワークノード３６０に含まれてよく、または外部にあってもよい。たとえば、ネットワークノード３６０は、入力サーキットリまたは電気ケーブルなどのインターフェースを介して外部電源（たとえば電力コンセント）に接続可能でよく、それによって外部電源が電力サーキットリ３８７に電力を供給する。さらなる例として、電源３８６は、電力サーキットリ３８７に接続されているかまたは組み込まれているバッテリーまたはバッテリーパックの形態の電力源を備え得る。バッテリーは、万一外部電源が役に立たないときバックアップ電力を供給し得る。光起電力デバイスなど他のタイプの電源も使用され得る。
【００４９】
ネットワークノード３６０の代替実施形態に含まれ得る、図３に示されたもの以上のさらなる構成要素は、本明細書で説明された機能性のうち任意のものおよび／または本明細書で説明された内容をサポートするのに必要なあらゆる機能性を含む、ネットワークノードの機能性の特定の態様をもたらすことを担い得るものである。たとえば、ネットワークノード３６０には、ネットワークノード３６０への情報の入力を可能にし、ネットワークノード３６０からの情報の出力を可能にするためのユーザインターフェース機器が含まれ得る。これによって、ユーザは、ネットワークノード３６０に対する診断、メンテナンス、修理、および他の管理機能を遂行することができる。
【００５０】
第５世代（「５Ｇ」）−新無線（「ＮＲ」）通信システム向けに、セルの内部のシステム情報（「ＳＩ」）を周期的にブロードキャストすることに加えて、システム情報のオンデマンドデリバリの概念が検討されている。オンデマンドのＳＩデリバリ要求が、１つまたは複数の周期的に繰り返されるあらかじめ設定された機会（および／またはリソース）における追加ＳＩのブロードキャストを起動し得る。オンデマンドデリバリのこの技法は、アイドル状態／インアクティブ状態のＷＤ  ２１０などのＷＤ（ＵＥとも称される）によって使用され得、要求／トリガは専用のプリアンブルの（たとえばランダムアクセスのプリアンブルに類似または同一の）形態でよい。ＳＩ要求は、プリアンブルベースのＳＩ要求に加えて、アイドル状態／インアクティブ状態のＷＤ  ２１０からのランダムアクセスのプリアンブル送信と、ネットワークノード３６０（たとえばｇＮＢ、３ＧＰＰ  ＮＲ規格化業務における基地局）からのランダムアクセス応答と、それに続く明示的要求メッセージ（すなわち競合解除のない「不完全な」ランダムアクセスプロシージャ）とを含む、３段階のメッセージ交換によって達成され得る。要求は、有効なオンデマンドのＳＩの要求された部分などの詳細をさらに詳しく述べてよく、ランダムアクセスプロシージャのメッセージ３に含まれ得るものである。
【００５１】
オンデマンドのＳＩデリバリ要求は、要求しているＷＤ  ２１０に専用の応答を起動してもよい。この変形形態は、アイドル状態／インアクティブ状態のＷＤまたは結合状態／アクティブ状態のＷＤのうち一方（または両方）によって使用されるように設計され得る。前者の場合、要求／トリガは、追加ＳＩのブロードキャストを起動する場合と同様に専用のプリアンブルでよく、この場合、ネットワークノードの送信および受信のポイント（「ＴＲＰ」）は直ちに（または上記のような周期的に繰り返されるあらかじめ設定された機会および／またはリソースで）応答し得、要求しているＵＥの方向へ（ｇＮＢ／ＴＲＰにおける指向性の相互性に基づいて）応答をビーム形成し得る。後者の場合、ＵＥは、無線リソース制御（「ＲＲＣ」）メッセージの形態で、可能性として詳細でより精細なＳＩ要求を送ってよく、ｇＮＢは、要求しているＵＥに宛てたＲＲＣメッセージで応答し得る。
【００５２】
次に図４に移ると、オンデマンドのシステム情報を要求する信号のやり取りが図示されている。このやり取りは、オンデマンドのＳＩデリバリに関連して使用され得るものである。結合モード／アクティブモードのＵＥ  ４１０が、オンデマンドのＳＩを要求しているネットワークノード４６０（たとえばｇＮＢ）に、ユニキャストされるＲＲＣメッセージ４８０を送信する。これに応答して、ネットワークノード４６０が、ユニキャストされるＲＲＣメッセージ４９０を送信してオンデマンドのＳＩを配送する。ユニキャストされるＲＲＣメッセージ４９０は、ＵＥ  ４１０がセルにおけるブロードキャストから受信したＳＩのいくつかまたはすべてを置換し得るものである。ブロードキャストされるＳＩは、複数のＵＥに到達して関係するので「共用ＳＩ」とも称され得る。ユニキャストされるＳＩは「専用ＳＩ」または「オンデマンドのＳＩ」とも称され得る。ユニキャストされるＲＲＣメッセージ４９０は、ＵＥまたはＵＥグループに固有のＳＩを含み得る。これにより、様々な態様に基づいてＵＥを区別することまたは分離することができる。
【００５３】
図５は、通信システムにおけるシステム情報の構造の一実施形態のブロック図を図示するものである。物理セルアイデンティティ（「ＰＣＩ」）５５０ａは、ＮＲ−１次同期信号／ＮＲ−２次同期信号（「ＮＲ−ＰＳＳ／ＮＲ−ＳＳＳ」）５５０ｂのインデックスによってシグナリングされ、マスタ情報ブロック（「ＭＩＢ」）５２０は、ＮＲ物理ブロードキャストチャネル（「ＮＲ−ＰＢＣＨ１」と称される）５３０で表される第１のブロードキャストチャネルでシグナリングされ、周期的にブロードキャストされるシステム情報ブロック（「ＳＩＢ」）５５０は、ＮＲ−ＰＢＣＨ２  ５４０で表される第２のブロードキャストチャネルでシグナリングされる。第２のブロードキャストチャネル（ＮＲ−ＰＢＣＨ２）は、ＰＤＣＣＨ＋ＰＤＳＣＨのようなやり方で、制御−データ−チャネルの対として実現され得ることに留意されたい。もちろん、追加の情報フィールドも含まれ得る。同期信号（「ＳＳ」）ブロック５１０は、ＰＣＩ  ５５０ａおよびＭＩＢ  ５２０をもたらす。ＭＩＢ  ５２０は、少なくともｖａｌｕｅＴａｇ  ５２０ｂ、ＳＩインデックス５２０ｃ、およびＵＥがＮＲ−ＰＢＣＨ２  ５４０上で周期的にブロードキャストされるＳＩＢ  ５３０を受信することを可能にする設定情報５２０ｄを含有している。ＳＩインデックス５２０ｃは、各ビームに適用するべきＳＩＢの設定を選択すると解釈され得る。これによって、異なるビームは異なるパラメータ設定を使用することができる。たとえば、異なるビームは、異なる物理ランダムアクセスチャネル（「ＰＲＡＣＨ」）タイムスロットおよび／または異なるＰＲＡＣＨプリアンブルシーケンスを有し得る。図５は、通信システムにおいてＵＥからの要求によって起動されたとき、周期的にブロードキャストされるＳＩ  ５３０およびオンデマンドの（専用の）ＳＩ  ５７０のデリバリの実現を図示するものである。システム情報の構造のさらなる理解のために、参照によって本明細書に組み込まれている、２０１６年１１月４日に出願された「Ｓｙｓｔｅｍ  ａｎｄ  Ｍｅｔｈｏｄ  ｆｏｒ  Ｅｎｃｏｄｉｎｇ  Ｓｙｓｔｅｍ  Ｉｎｆｏｒｍａｔｉｏｎ  ｆｏｒ  Ｍｕｌｔｉｐｌｅ  Ｃｅｌｌｓ  ａｎｄ  Ｂｅａｍｓ」という名称の米国特許仮出願第６２／４１８，１６２号を調べられたい。
【００５４】
いくつかの実施形態では、ブロードキャストされたＳＩパラメータは、ＳＩＢに収集され得る（特定のパラメータは、たとえば規格で規定され得るたった１つのＳＩＢに属し得る）。そのゆえに、ＳＩＢはパラメータのセットと見なされてよい。その上、専用の（ＲＲＣ）シグナリングによって供給されるパラメータのセット（すなわち専用ＳＩ）は、完全なＳＩＢ（または複数のＳＩＢ）でよく、またはＳＩＢのパラメータの一部分（または複数のＳＩＢの一部分）のみ（たとえば対応するブロードキャストされたパラメータに値が優先するパラメータのみ）を含有すればよい。
【００５５】
以下では、ＵＥまたはＷＤが、無線アクセスノードからブロードキャストされた専用ＳＩおよび共用ＳＩ（他のパラメータ値（すなわち異なる設定））を受信したときＳＩを管理する様々な実施形態をより詳細に論じる。これらの実施形態は、ＵＥが結合状態／アクティブ状態にとどまるかそれともアイドル状態／インアクティブ状態に切り換わるか、ということに関係なく適用され得る。
【００５６】
一実施形態では、ネットワークノード４６０は、専用ＳＩの有効性を共用ＳＩの有効性インジケータ（たとえばバージョン番号）に結び付ける。このシナリオでは、共用ＳＩが変化したかまたは無効になったと有効性インジケータが指示するまで、専用ＳＩは有効である。有効性インジケータがこのように指示したとき、ＵＥ  ４１０は更新された共用ＳＩを得て、以前に受信した専用ＳＩを（たとえば補足する、置換する、棄却するなどして）変更する。この実施形態は、それぞれが共用ＳＩの個別の部分に結び付けられる複数の有効性指示に拡張され得るものである。他の実施形態では、専用ＳＩの有効性は、有効期間タイマ（これが満了したらＵＥは共用ＳＩを得るべきである）などの有効性時間に関連づけられるか、またはさらなる通知まで有効であると規定される。
【００５７】
その結果、ＵＥの挙動に対応する共用ＳＩに関しての専用ＳＩの取扱いにおける空所が満たされる。本明細書で開示された特定の実施形態は、ネットワークが、オペレータの方針、ＵＥの能力、加入データ、または３ＧＰＰ規格において規定されている設計選択に依拠して、異なる原理に従ってＵＥの挙動を設定するやり方を制限なく提供するものである。いくつかのシナリオでは、記憶されたＳＩを参照するのが便利であり得る。記憶されたＳＩは、たとえば現在アクティブなＳＩパラメータのセットを含み得る。記憶されたＳＩは、共用ＳＩ、専用ＳＩ、または場合によっては混合を含み得る。
【００５８】
本明細書で開示されたいくつかの実施形態は、ブロードキャストされた共用ＳＩがＵＥによって得られ、ユニキャストメッセージングによってＵＥに供給された専用ＳＩ（たとえばＵＥ固有のＳＩまたはＵＥグループ固有のＳＩ）によって変更され得るとき、システム情報を管理するための機構を提供するものである。システム情報は、ＵＥのカテゴリ／能力、加入情報、ＵＥのベアラ／流れのサービス品質（「ＱｏＳ」）、ＵＥ上で走っているアプリケーションの認識、およびバッテリー状態に制限なく基づき得る。本明細書で開示された特定の実施形態は、ＵＥが専用ＳＩを受信するが、後にブロードキャストによって共用ＳＩを受信する場合にも適用され得るものである。いくつかの実施形態は、ＵＥが、専用ＳＩを受信した後に、結合状態／アクティブ状態にとどまるかそれともアイドル状態／インアクティブ状態に切り換わるか、ということに関係なく適用され得るものである。
【００５９】
ＵＥが専用ＳＩを受信した後に共用ＳＩを受信する状況に対応する、異なるやり方がある。最初に、ＵＥは、（たとえばＵＥまたはＵＥグループに固有の）以前に記憶された専用ＳＩを使用し続けてよい。あるいは、ＵＥは、共用ＳＩを用いて、以前に記憶された専用ＳＩを変更してもよい。専用ＳＩのパラメータのうちいくつかを置換するが他のものを保持することなど、これら２つの手法の混成も可能である。無線アクセスノード（たとえばｇＮＢ）またはネットワークは、一般に、有効性命令によって、専用ＳＩおよび共用ＳＩの取扱いに関してＵＥの制御を維持し得る。
【００６０】
一実施形態では、ｇＮＢは、専用ＳＩの有効性を共用ＳＩの有効性インジケータ（たとえばバージョン番号）に結び付ける（すなわち関連づける）。一般的には、これは、（たとえば、共用ＳＩとともに、または別個にブロードキャストされる）共用ＳＩに関連した有効性インジケータによって指示されるように、ｇＮＢが置換する共用ＳＩが変化しない限り、専用ＳＩを有効と見なすように、ｇＮＢがＵＥに命令することを意味する。共用ＳＩが変化すると直ちに、この共用ＳＩの関連する有効性インジケータによって指示されるように、ＵＥは、更新された共用ＳＩを得て適用し、以前に記憶した専用ＳＩを無効にしてよく、好ましくは（必ずではなく）棄却する。この手法をサポートするために、ネットワークは、専用ＳＩとともにＵＥに有効性インジケータを転送してよいが、代わりに、ブロードキャスト送信の一部分として有効性インジケータを供給してもよく、または、有効性インジケータがＵＥによってあらかじめ設定されているかもしくは記憶されていてよい（たとえばあらかじめ設定されたタイマ）。
【００６１】
いくつかの実施形態では、それぞれが共用ＳＩの異なる部分に関連した複数の有効性指示があってよい。いくつかの実施形態では、複数の有効性指示は、ＳＩＢごとのＶａｌｕｅＴａｇを含み得る。いくつかのシナリオでは、複数の有効性指示またはＳＩＢごとのＶａｌｕｅＴａｇは、有効性インジケータと見なされ得る。ＵＥは、記憶された専用ＳＩの有効性（および対処のし方）を検討するとき、専用ＳＩに対応するブロードキャストされた共用ＳＩのセクション（複数可）の有効性指示（複数可）を検査してよい。異なるシステム情報セクションは、それぞれの有効性指示（複数可）または命令によって命じられるように別個に検討されて別個に変更されてよい。上記のように、ネットワークは、ＵＥに専用ＳＩを送るとき有効性インジケータを含み得、またはブロードキャストメッセージ（複数可）の一部分として有効性インジケータを含み得る。
【００６２】
別の実施形態では、ネットワークは、（ＵＥに専用ＳＩを転送するとき）有効期間タイマなど有効性タイマを専用ＳＩに関連づけ、有効期間タイマが満了するまで、専用のＳＩを有効と見なすようにＵＥに命令する。その時点において、ＵＥは、ネットワークからの別の専用ＳＩの供給または先の専用ＳＩの更新（たとえば有効期間タイマのリセット）がなければ、共用ＳＩを使用してよい（すなわち、共用ＳＩを得るか、または既得の記憶された共用ＳＩを使用する）。有効期間タイマまたは指示は、専用ＳＩとともにＵＥに転送されてよく、ブロードキャストメッセージによって共用ＳＩに供給されてよく、または規格で規定されてもよい。
【００６３】
さらに別の実施形態では、ネットワークは、さらなる通知があるまで、共用ＳＩに対する変更に関係なく、専用ＳＩを有効とするようにＵＥに命令してよい。いくつかの実施形態では、これは、本質的に、有効期間タイマを無期限に設定して行われてもよい。前述の実施形態は並行して使用され得、そのような場合には、ＵＥの設定は、オペレータの方針、ＵＥの能力、加入データ、ＵＥのベアラ／流れのＱｏＳ、ＵＥ上で走っているアプリケーションの認識、バッテリー状態などに依拠し得る。
【００６４】
前述の実施形態はまた、専用ＳＩを、共用ＳＩに関連した有効性指示ならびに有効期間タイマに依拠するように設定することなど、様々なやり方で組み合わされ得る。すなわち、ＵＥは、関係のある有効性指示が変化するかまたは有効期間タイマが満了するまで、どちらが先でも、専用ＳＩを有効と見なしてよい。専用ＳＩの有効性は、同期信号（「ＳＳ」）の一部分およびセルにおいて適用されるシステム情報ブロック（「ＳＩＢ」）設定としてＳＩインデックスにも結び付けられ得る（図５を参照されたい）。この手法では、同期信号におけるＳＩインデックスが変更されると専用ＳＩは無効になる。有効性ルールは、たとえば、ＳＩインデックスが、ＳＩインデックスの（現在のものを含む）セットからのものである限り、専用ＳＩが有効であるというものでよい。
【００６５】
別の実施形態では、周期的にブロードキャストされる共用ＳＩは、共用ＳＩおよび／または専用ＳＩの有効性を明示的に制御する追加のパラメータを含み得る。共用ＳＩは２つの有効性インジケータ（たとえばｖａｌｕｅＴａｇ）を含有してよく、１つは共用ＳＩに関するものであり（共用の有効性インジケータ）、もう１つはいずれかの専用ＳＩに関する有効性インジケータ（専用の有効性インジケータ）である。ネットワークは、専用ＳＩを用いてＵＥを設定するとき、この専用ＳＩの有効性を、現在ブロードキャストされている専用の有効性インジケータに結び付ける。次いで、ＵＥは、専用の有効性インジケータが変化したとき、専用ＳＩを無効にして対応する共用ＳＩで置換し、この専用の有効性インジケータが存続する限り、共用の有効性インジケータの値に関係なく、対応する共用ＳＩを無視するものとする。
【００６６】
引き続き図５を参照して、共用の有効性インジケータが、第１のチャネル（たとえばＮＲ物理ブロードキャストチャネル１（「ＮＲ−ＰＢＣＨ１」）などの第１の物理ブロードキャストチャネル）５３０上でマスタ情報ブロック（「ＭＩＢ」）５２０において送信され、専用の有効性インジケータが、第２のチャネル５４０上で（たとえば第２の物理ブロードキャストチャネル（ＮＲ−ＰＢＣＨ２）上で、最小限のＳＩに属するＳＩＢにおいて）送信される場合には、共用の有効性インジケータ（最小限のＳＩの全体の内容の更新による影響を受ける）が専用の有効性インジケータも対象として含み、このことは、専用の有効性インジケータが変化すると共用の有効性インジケータが変化することを意味する。そのゆえに、専用ＳＩを用いて設定されたＵＥは、共用の有効性インジケータ（たとえばＶａｌｕｅＴａｇ  ５２０ｂ）が変更された場合は常に第２の物理ブロードキャストチャネル５４０を読み取って、専用の有効性インジケータが変更されたかどうかを判定する。いくつかの実施形態では、共用の有効性インジケータはＳＩＢ１  ５６０においてブロードキャストされ得る。専用の有効性インジケータを導入することの代替形態として、周期的にブロードキャストされる共用ＳＩに、（有効性インジケータによって指示される）共用ＳＩの現在のバージョンが、有効性インジケータの前回値に関連した専用ＳＩに優先するべきかどうかを指示するフラグが含有され得る。第２のブロードキャストチャネル（ＮＲ−ＰＢＣＨ２）は、ＰＤＣＣＨ＋ＰＤＳＣＨのようなやり方で、制御−データ−チャネルの対として実現され得ることに留意されたい。
【００６７】
いくつかの実施形態では、ＵＥが、別のセルに接続された後に（たとえばピンポンハンドオーバの後に）セルに戻るとき、専用ＳＩの取扱いは以下で明記されるように管理され得る。ネットワークは、有効性条件がそのようなイベントによる影響を受けないように、ＵＥを設定してよい。すなわち、無効条件（たとえば有効性指示の変化または有効期間タイマの満了）が起動されていなければ、ＵＥは、専用ＳＩが取得されたセルに戻るとき、記憶された専用ＳＩを依然として有効なものと見なすことになる。あるいは、ネットワークは、ＵＥが、別のセルに接続すると直ちに、記憶された専用ＳＩを棄却する／無効にするようにＵＥを設定してよい。
【００６８】
その上、共用ＳＩおよび専用ＳＩの有効性は、ＵＥの状態に依拠し得る。選択肢として、ネットワークは、専用ＳＩを、ＵＥがアイドルモード／インアクティブモードに移るとき無効になる（しかも共用ＳＩによって置換される）ように設定してよく、または、結合モード／アクティブモードからアイドルモード／インアクティブモードへの切換えによる影響を受けることなく有効であり続けるように設定してもよい。共用ＳＩおよび専用ＳＩの取扱いは、セルのセットまたは他の領域に関するものでよい。第１の場合には、専用ＳＩが有効なのは、専用ＳＩがＵＥに転送されたセルにおいてのみである。しかしながら、有効性範囲は、セルのリスト（可能性として、有効性範囲がＵＥに転送されるセルさえ除くもの）、特定のｇＮＢによってサーブされるセル（たとえばｇＮＢ識別子によって規定されるもの）、無線アクセスネットワークのページング領域（すなわち、一時的にインアクティブ状態と表された「新規のＮＲ状態」において、無線アクセスネットワーク内部のＵＥのページング用に使用されるセルの領域／セット）、または追跡領域でもよい。場合によっては、ネットワークは、有効性範囲を、専用ＳＩがＵＥに転送されたセル以外の１つまたは複数のセルに、すなわち専用ＳＩが取得されたセル以外に設定してよい。そのような場合には、ネットワークは、ＵＥに、専用ＳＩを供給したセルに対して有効なものと、他のセルに対して有効なものとの２つの専用ＳＩを供給してよい。ＵＥに、選択されたセルに対して有効な専用ＳＩのリストを供給することも可能である。共用ＳＩと専用ＳＩの間のもののような有効性ルールは、同様に当てはまり得る。
【００６９】
次に、図６は、特定の実施形態による信号のやり取りを図示するシグナリング図である。ネットワークノードは、最初に、ＳＩをブロードキャストする６１０で、第１の共用ＳＩ（第１の有効性インジケータを含む）をブロードキャストする。ＳＩをブロードキャストする６１０は、初期の有効性インジケータ１を含有している。次いで、６２０において、ネットワークノードはＲＲＣメッセージをユニキャストする。メッセージをユニキャストする６２０は、オンデマンドの専用ＳＩを配送してよい。オンデマンドの専用ＳＩは有効性命令を含み得る。たとえば、有効性命令は、このＳＩの有効性を、有効性タイマ、有効性インジケータなどに関連づけ得るものである。ＳＩをブロードキャストする６１０とメッセージをユニキャストする６２０の間で送られる追加の無関係なメッセージ（図示せず）があってよい。次いで、６３０において、（結合モード／アクティブモードの）ＵＥは、（メッセージをユニキャストする６２０において受信された）オンデマンドの専用ＳＩを用いて、記憶されたＳＩ（たとえばＳＩをブロードキャストする６１０において受信された共用ＳＩ）の対応する部分を変更する。６４０において、ＵＥは、専用ＳＩの有効性を、ブロードキャストされた第１の共用ＳＩの有効性インジケータおよび／または有効性タイマに関連づける。この関連性は、ブロードキャストされたＳＩと専用ＳＩの両方が同一の条件または個別の条件下で失効するようなものでよい。たとえば、専用ＳＩには関連づけられた有効性タイマがあってよく、ブロードキャストされたＳＩは有効性インジケータに結び付けられてよい。ＵＥは、命令された場合には、または必要に応じて、６５０において有効性タイマを起動する。有効性タイマは、ブロードキャストされたＳＩ、専用ＳＩ、または両方に関連づけられてよい。いくつかの実施形態では、ブロードキャストされたＳＩおよび専用ＳＩには、個別のタイマが関連づけられてよい。
【００７０】
次いで、ネットワークノードは、６６０において、第２の共用ＳＩまたは更新された共用ＳＩの更新されたデリバリをブロードキャストする。第２の共用ＳＩは第２の有効性インジケータまたは更新された有効性インジケータを含む。６７０において、ＵＥは、更新されてブロードキャストされた第２の共用ＳＩの第２の有効性インジケータを検査して、既存の１つまたは複数の有効性インジケータと比較する。いくつかの実施形態では、６７０において、ＵＥは、第２の共用ＳＩが記憶されたオンデマンドの専用ＳＩに優先するかどうかを判定するために、（存在するなら）有効性タイマの可能性のある満了を検査してもよい。次いで、６８０において、ＵＥは有効性ルールを適用し、シナリオに依拠して、記憶されたオンデマンドの専用ＳＩを、ブロードキャストされた第２の共用ＳＩの対応する部分を用いて変更するか、以前に記憶されたオンデマンドの専用ＳＩを保ち、ブロードキャストされた第２の共用ＳＩの対応する部分を無視するか、または第２の共用ＳＩを用いて、記憶されたオンデマンドの専用ＳＩを補足する。いくつかの実施形態では、有効性タイマはリセットされるかまたは棄却されてよい。
【００７１】
次に、図７は、特定の実施形態による方法を図示するものである。方法７００はステップ７１０において始まり、ＵＥは結合モード／アクティブモードであり、当初はオンデマンドの専用ＳＩを記憶していない。ステップ７２０において、ＵＥは、関連する有効性インジケータを伴ってブロードキャストされた共用ＳＩを受信する。次いで、ステップ７３０において、ＵＥは、オンデマンドの専用ＳＩを関連する有効性ルールとともに受信する。ステップ７４０において、ＵＥは、ブロードキャストされて記憶された共用ＳＩ（の対応する部分）を、受信したオンデマンドの専用ＳＩで置換する。いくつかの実施形態では、専用ＳＩが有効であるかどうかを判定するためにＵＥが残りのステップを通して作動するので、この置換は一時的なものであり得る。
【００７２】
判定ステップ７５０において、ＵＥは、有効性ルールが有効性タイマを含むかどうかを評価する。この方法は、有効性ルールが有効性タイマを含んでいなければ次のステップへ続き、有効性ルールが有効性タイマを含んでいれば、ステップ７６０において、ＵＥは有効性タイマを起動する。判定ステップ７７０において、ＵＥは、有効性ルールが、ブロードキャストされた共用ＳＩの有効性インジケータに対する依存関係を含むかどうかを評価する。有効性ルールがブロードキャストされた共用ＳＩの有効性インジケータに対する依存関係を含んでいる場合には、ステップ７８０において、ＵＥは、オンデマンドの専用ＳＩの有効性を、ブロードキャストされた共用ＳＩの有効性インジケータに関連づける。次いで、ステップ７９０において、結合モード／アクティブモード（たとえば５Ｇ／ＮＲのＲＲＣ＿ＣＯＮＮＥＣＴＥＤ状態）のＵＥが、オンデマンドの専用ＳＩを記憶する。
【００７３】
次に、図８は、特定の実施形態による方法を図示するものである。方法８００はステップ８１０において始まり、ＵＥは結合モード／アクティブモードであり、対応する有効性インジケータを伴うオンデマンドの専用ＳＩを記憶している。判定ステップ８２０において、ＵＥは、（存在するなら）有効性タイマが満了したかどうかを評価する。有効性タイマが満了した場合には、ステップ８３０において、ＵＥは、記憶されたオンデマンドＳＩを、以前にブロードキャストされて受信された共用ＳＩ（の対応する部分）で置換する。そうでなければ、または先のステップに続き、判定ステップ８４０において、ＵＥは、ブロードキャストされた共用ＳＩの新規の送信が受信されているかどうかを評価する。
【００７４】
ブロードキャストされた共用ＳＩが受信されていなければ、方法８００は、判定ステップ８２０へ戻る。ブロードキャストされた共用ＳＩの新規の送信が受信されているとＵＥが判定すると、方法８００は判定ステップ８５０へ続く。判定ステップ８５０において、ＵＥは、共用ＳＩおよび専用ＳＩの取扱いのために、有効性インジケータにルールを適用する。たとえば、ＵＥは、ブロードキャストされて受信された共用ＳＩの有効性インジケータが、記憶されたＳＩに関連した有効性インジケータと異なるかどうかを判定する。有効性指示が異ならなければ、方法８００は判定ステップ８２０に戻る。有効性指示が異なる場合には、ステップ８６０において、ＵＥは、記憶されたオンデマンドの専用ＳＩを、以前にブロードキャストされて受信された共用ＳＩ（の対応する部分）で置換し、（存在するなら）有効性タイマを棄却する。この方法は、ステップ８７０において終了し、結合モード／アクティブモードのＵＥにはオンデマンドの専用ＳＩは記憶されていない。
【００７５】
次に、図９は、特定の実施形態による信号のやり取りをする図示するものである。この図では、９２１において、ネットワークノード９６０（たとえばｇＮＢ）は、ＲＲＣメッセージで、ユニキャストされるＳＩを送る。９２１において、ユニキャストされるＳＩは、専用の有効性インジケータを含む専用ＳＩをＵＥ  ９１０に配送する。次いで、ステップ９２２において、ネットワークノード９６０は、共用の有効性インジケータを含む共用ＳＩをブロードキャストする。次いで、ステップ９２３において、ネットワークノード９６０は、専用ＳＩおよび共用ＳＩの取扱い方に関する命令をＵＥ  ９１０に供給する。ステップ９２４において、ＵＥ  ９１０は、命令に従い、ＵＥが共用ＳＩのパラメータを採用するものと想定して、有効性タイマを起動する。タイマが満了したとき、ステップ９２５において、ＵＥ  ９１０は、共用ＳＩのパラメータを専用ＳＩの対応するパラメータで置換する。
【００７６】
次いで、ネットワークノード９６０は、ステップ９２６において、更新された共用の有効性インジケータを含んでいる更新された共用ＳＩをブロードキャストし、ステップ９２７において、専用ＳＩおよび更新された共用ＳＩを取り扱うための更新された命令を供給する。ＵＥ  ９１０は、ステップ９２８において、命令に従って、ＵＥが専用ＳＩのパラメータを採用すると想定し、専用の有効性インジケータを更新された共用の有効性インジケータと比較して、専用ＳＩおよび更新された共用ＳＩのパラメータの取扱いを判定する。比較は、更新された命令に明記されるような異なるタイプのルールに基づくものでよい。たとえば、専用の有効性インジケータが、ステップ９２９において更新された共用の有効性インジケータと異なる場合には、ＵＥは、専用ＳＩのパラメータを更新された共用ＳＩの対応するパラメータで置換してよい（逆も同様である）。次いで、この方法は、ステップ９７０によって指示されるように繰り返してよい。たとえば、ネットワークノード９６０は、対応する更新された共用の有効性インジケータを含んでいる複数の更新された共用ＳＩをＵＥに供給して、ＵＥに、専用ＳＩのパラメータを、複数の更新された共用ＳＩのうち１つの対応するパラメータで置換するように命令してよい。例として、ＵＥ  ９１０は、１０番目の更新された共用ＳＩのパラメータを採用してよい。
【００７７】
もちろん、本明細書で開示された実施形態のあらゆるものにおいて、有効性インジケータに適用され得る多くのルールがある。例として、ルールは、Ｍ（たとえばＭ＝１０００）よりも大きい共用の有効性インジケータ（「ｖａｌｕｅＴａｇ＿ｃ」とも称される）は、あらゆる専用の有効性インジケータ（「ｖａｌｕｅＴａｇ＿ｄ」とも称される）に優先し、Ｍよりも小さいあらゆる共用の有効性インジケータは、ＵＥに、専用ＳＩは依然として有効であると示す、といったものであってよい。
【００７８】
別のルールには、共用の有効性インジケータが専用の有効性インジケータ＋変数「Ｎ」よりも大きければＵＥが専用ＳＩを共用ＳＩで置換する、とったものがあり得る。そのような場合には、ネットワークは、（専用の有効性インジケータに関連した）専用ＳＩを新規の共用ＳＩで置換することをＵＥに強制せずに、Ｎ回（たとえばＮ＝５）まで共用ＳＩ（および関連する共用の有効性インジケータ）を更新し得る。Ｎ回よりも多くの更新（および共用の有効性インジケータのインクリメンタルな更新）の後に、ＵＥは、専用ＳＩを共用ＳＩの最新バージョンで置換することになる。
【００７９】
別の例には、記憶されたシステム情報の一部を変更し得るユニキャストされた専用システム情報の有効性を、ブロードキャストされた共用システム情報に関連した１つまたは複数の有効性指示に結び付けて、ＵＥを、１つまたは複数の有効性指示（複数可）および／または命令のうち１つまたは複数における可能性のある変化に基づいて、特定のやり方で、システム情報を管理するように設定するものがある。ブロードキャストされる有効性指示の論理的な依存関係に加えて、ＵＥは、ユニキャストされる専用システム情報の有効性が、有効性タイマ（たとえば有効期間のタイマまたは指示）などのタイミング面に依拠するように設定されてよい。ネットワークは、共用システム情報をブロードキャストし、ＵＥに、ユニキャストされる専用システム情報を供給して、ＵＥを、有効性判定に基づいて専用システム情報の有効性を管理するように設定する。ＵＥは、ブロードキャストされた共用システム情報と専用システム情報の両方を受信して、有効性判定に基づき、それらの一方、両方または一部分を使用する。
【００８０】
図１０は特定の実施形態による方法を図示するものである。この方法はユーザ機器（ＵＥ）が遂行するステップを示す。各ステップはＵＥに関して説明されるが、無線デバイス（ＷＤ）にも同様に適用可能である。この方法は、第１のメッセージを受け取るステップ１０１０から始まる。第１のメッセージは、システム情報に関連したパラメータの第１のセットを含む。第１のメッセージは、実施形態またはシナリオに依拠して専用システム情報を含み得る。たとえば、第１のメッセージは、特にＵＥ（またはＵＥがメンバであるＵＥの特定のグループもしくはサブセット）に宛てられてよい。あるいは、第１のメッセージは共用システム情報を含み得る。たとえば、第１のメッセージは、第１のメッセージを送信するネットワークノードの範囲内の任意のＵＥまたはすべてのＵＥにブロードキャストされ得る。パラメータの第１のセットは、複数の異なるシステム情報パラメータを含み得る。異なるシステム情報パラメータの数は、すべての可能なシステム情報パラメータから単一のシステム情報パラメータまで変化し得る。いくつかの実施形態では、パラメータの第１のセットはシステム情報ブロックを含み得る。いくつかのシナリオでは、第１のメッセージは、ゼロ以上の追加のシステム情報ブロックを含有している。単一のシステム情報ブロックは、パラメータの単一のセットを含有し得る。メッセージは複数のシステム情報ブロックを含み得る。したがって、いくつかのシナリオでは、パラメータの第１のセットは、第１のメッセージに関連した複数のシステム情報ブロックからのパラメータの複数のセットに基づいてよい。いくつかのシナリオでは、第１のメッセージは、専用ＳＩを含有している専用の（ＲＲＣ）メッセージでよい。いくつかの実施形態では、パラメータのセットは、専用の（ＲＲＣ）シグナリングによって供給され得る（すなわち、専用ＳＩは、完全なＳＩＢ（または複数のＳＩＢ）でよく、またはＳＩＢのパラメータの一部分（または複数のＳＩＢの一部分）のみ、たとえば対応するブロードキャストされたパラメータに優先する値を有するパラメータのみを含有すればよい）。
【００８１】
システム情報のタイプ（たとえば専用または共用）に関係なく、パラメータの第１のセットには第１の有効性が関連づけられている。有効性は、他の実施形態のいずれかに関して上記で論じられた異なるタイプの有効性の任意のものでよい。たとえば、いくつかの実施形態では、第１の有効性は第１の有効性指示（たとえばバージョンインジケータまたはＳＩインデックス）に基づくものでよい。別の例として、第１の有効性はタイマ（たとえば有効期間タイマ）に基づくものでよい。いくつかの実施形態では、タイマ値は第１のメッセージの一部分であり得る。たとえば、第１のメッセージが受信されたとき、タイマは、第１のメッセージの内部のタイマ値に基づいてセットされる。パラメータはタイマが期限切れになるまで有効でよい。いくつかの実施形態では、タイマ値は異なるメッセージの一部分であり得る。たとえば、異なるメッセージで以前に受信されたパラメータのセットには、関連づけられたタイマがあり得る。パラメータの第１のセットが有効になるのは、先のメッセージからのタイマが満了した場合のみでよい。いくつかの実施形態では、タイマを関連づけられているのは専用システム情報パラメータのみでよい（共用システム情報パラメータはタイマを関連づけられていない）。
【００８２】
ステップ１０１５において、記憶されたパラメータのセットが導出される。記憶されたパラメータのセットは、少なくとも部分的にパラメータの第１のセットおよびこのセットの関連する有効性に基づいて導出され得る。このことは複数の異なるシナリオにおいて生じ得る。たとえば、ＵＥがつい最近電源オンになり、パラメータの第１のセットはＵＥが受信した第１のシステム情報パラメータであり得る。そのようなシナリオでは、記憶されたパラメータのセットは、そっくりパラメータの第１のセットに基づくものであり得る。別の例として、ＵＥが、第１のメッセージを受信する前に何回か動作していてよい。そのようなシナリオでは、パラメータの第１のセットは、記憶されたパラメータのセットの一部分になっている既存のパラメータに追加されてよく、またはこれを置換してもよい。これは、以下でより詳細に論じられる変更するステップ１０３０に類似であり得る。パラメータの第１のセットのパラメータ数は、記憶されたパラメータのセットのパラメータ数と等しくても等しくなくてもよい。
【００８３】
ステップ１０２０において、ＵＥは、システム情報に関連したパラメータの第２のセットを含んでいる第２のメッセージを受信する。パラメータの第２のセットは、第１のメッセージからのパラメータの第１のセットと同様に、共用システム情報または専用システム情報に関連づけられてよい。パラメータの第２のセットの実際のパラメータ数は、パラメータの第１のセットのパラメータ数と等しくなくてもよい。パラメータの第２のセットのパラメータが対応するのは、パラメータの第１のセットのパラメータのうちすべてまたはいくつかでよく、対応するものがなくてもよい。いくつかの実施形態では、パラメータの第２のセットはシステム情報ブロックを含み得る。第２のメッセージはゼロ以上の追加のシステム情報ブロックを含有し得る。
【００８４】
また、パラメータの第１のセットと同様に、パラメータの第２のセットには第２の有効性が関連づけられている。いくつかの実施形態では、第２の有効性は第１の有効性に基づくものでよく、逆も同様である（たとえば、パラメータの第２のセットは、パラメータの第１のセットに関連した第１の有効性を継承してよい）。第２の有効性は、有効性指示（たとえばバージョンインジケータまたはＳＩインデックス）またはタイマに基づくものでよい。いくつかの実施形態では、第１の有効性および第２の有効性は複合的な要因に基づくものでよい。たとえば、パラメータの第１のセットの有効性またはパラメータの第２のセットの有効性は、パラメータの第１のセット、パラメータの第２のセット、記憶されたパラメータのセット、またはパラメータのセットのうち１つまたは複数の組合せ、に関連したバージョンインジケータおよび有効期間タイマに基づくものでよい。
【００８５】
ステップ１０２５において、ＵＥは、パラメータの第２のセットがパラメータの第１のセットに取って代わるものかどうかを判定する。これは、第１の有効性および／または第２の有効性に基づき得る。たとえば、いくつかの実施形態では、ＵＥは、第１の有効性を第２の有効性と比較してよい。より具体的な例として、ＵＥは、パラメータの第１のセットに関連した第１のバージョンインジケータをパラメータの第２のセットに関連した第２のバージョンインジケータと比較してよい。別の例として、ＵＥは、第１の有効性または第２の有効性に関連したタイマ値を評価してよい。次いで、場合によっては、タイマが満了していようといまいと、パラメータの第２のセットがパラメータの第１のセットに取って代わってよい。たとえば、パラメータの第２のセットは、パラメータの第２のセットに関連したタイマが満了しているかまたはいない限り有効でよく、またはパラメータの第１のセットに関連したタイマが満了しているかまたはいない限り有効でよい。いくつかの実施形態では、タイマは、（ゼロまでカウントする実際のタイマとは対照的に）タイムスタンプおよび／または指定された時間に基づき得る。たとえば、タイマは、関連するパラメータが満了する特定の時間を指定してよい。次いで、パラメータの第２のセットが受信されたとき、関連するタイムスタンプが指定された特定の時間以前であればパラメータの第１のセットが有効であり、このタイムスタンプが指定された時間の後であればパラメータの第２のセットが有効である。いくつかの実施形態では、有効性は、タイマと有効性インジケータの組合せに基づくものでよい。たとえば、パラメータの第１のセットは、第１のバージョンインジケータおよび関連する第１のタイマを有し得る。第２のバージョンインジケータが第１のバージョンインジケータに先行する場合、またはタイマが満了していない場合、パラメータの第１のセットがパラメータの第２のセットに取って代わる（すなわち、第２のセットが第１のセットに取って代わるのは、タイマが満了していて第２のバージョン番号が第１のバージョン番号よりも最近のものである場合のみである）。
【００８６】
ステップ１０３０において、第２の有効性が第１の有効性に取って代わるとき、ＵＥは、記憶されたパラメータのセットを変更する。ＵＥは、記憶されたパラメータのセットを様々な異なるやり方で変更してよい。たとえば、いくつかのシナリオでは、ＵＥは、記憶されたパラメータのセットにおける１つまたは複数のパラメータをパラメータの第２のセットからの対応するパラメータ（複数可）で置換してよい。別の例として、いくつかのシナリオでは、ＵＥは、パラメータの第２のセットからの１つまたは複数のパラメータを、記憶されたパラメータのセットに追加してよい。別の例として、いくつかのシナリオでは、ＵＥは、記憶されたパラメータのセットから１つまたは複数のパラメータを除去してよい。これらの例は相互排除ではない。すなわち、いくつかのシナリオでは、ＵＥは、記憶されたパラメータのセットからいくつかのパラメータを除去してよく、記憶されたパラメータのセットにいくつかのパラメータを追加してよく、記憶されたパラメータのセットのうちいくつかのパラメータを置換してよい。いくつかの実施形態では、記憶されたパラメータのセットの各パラメータは、それぞれ独自の有効性を有し得、この有効性は一緒に受信されたセットに依拠するものである。たとえば、パラメータの第２のセットが、記憶されたセットにおける１０のパラメータのうち３つを置換する場合には、これらの３つのパラメータが第２の有効性を有することになり、残った７つのパラメータは第１の有効性を有し得る（または、残った７つのパラメータが記憶されたパラメータのセットに追加されるときにはいかなる有効性も関連づけられ得る）。いくつかの実施形態では、記憶されたパラメータのセットの各パラメータが同一の有効性を共有し得る。これは、たとえば、記憶されたパラメータのセットを変更するために最後に使用されたセットの有効性でよい。変更されるパラメータ（複数可）は、パラメータの第１のセットからのパラメータでよく、または、記憶されたパラメータのセットに対して（たとえばあらかじめ符号化されているか異なるメッセージで受信される、といった）何か他のやり方で追加されたパラメータでもよい。
【００８７】
上記で説明されたように、例示的実施形態は、方法と、方法のステップを遂行するための機能性をもたらす様々な機能ユニットまたはモジュールから成る対応する装置との両方を提供するものである。機能ユニットまたはモジュールは、（特定用途向け集積回路などの集積回路を含んでいる１つまたは複数のチップで具現された）ハードウェアとして実施されてよく、またはプロセッサで実行するためのソフトウェアもしくはファームウェアとして実施されてもよい。詳細には、ファームウェアまたはソフトウェアの場合には、例示的実施形態は、コンピュータプロセッサで実行するためのコンピュータプログラムコード（すなわちソフトウェアまたはファームウェア）を具現するコンピュータ可読記憶媒体を含んでいるコンピュータプログラム製品として提供され得る。コンピュータ可読記憶媒体は非一時的なもの（たとえば磁気ディスク、光ディスク、読取り専用メモリ、フラッシュメモリデバイス、相変化メモリ）、または一時的なもの（たとえば、電気信号、光信号、音響信号、または搬送波、赤外線信号、デジタル信号など他の形態の伝搬する信号）でよい。プロセッサと他の構成要素の結合は、一般的には１つまたは複数のバスまたはブリッジ（バスコントローラとも名づけられている）によるものである。デジタルトラフィックを搬送する記憶デバイスおよび信号は、それぞれ１つまたは複数の非一時的コンピュータ可読記憶媒体または一時的コンピュータ可読記憶媒体を表現する。したがって、所与の電子デバイスの記憶デバイスは、一般的には、コントローラなど、同電子デバイスの１つまたは複数のプロセッサのセット上で実行するためのコードおよび／またはデータを記憶する。
【００８８】
実施形態および実施形態の利点を詳細に説明してきたが、この点で、添付の特許請求の範囲によって規定されるような趣旨および範囲から逸脱することなく、本明細書において様々な変更形態、置換、および改変形態が作製され得ることを理解されたい。たとえば、上記で論じた特徴および機能の多くは、ソフトウェア、ハードウェア、ファームウェア、またはそれらの組合せで実施され得るものである。また、これらのものを動作させる特徴、機能、およびステップの多くは、並べ替え、省略、追加、組合せなどが可能であり、依然として、様々な実施形態の広範な範囲に含まれる。
【００８９】
その上に、上記で開示された様々な実施形態の範囲は、本明細書で説明されたプロセス、マシン、製造、物の組成、手段、方法およびステップの特定の実施形態に限定されるようには意図されていない。当業者なら本開示から容易に理解するように、本明細書で説明された実施形態に対応するものと実質的に同一の機能を遂行するかまたは実質的に同一の結果を達成する、既存の、または後に開発されるプロセス、マシン、製造、物の組成、手段、方法、またはステップも、同様に利用され得る。それゆえに、添付の特許請求の範囲は、そのようなプロセス、マシン、製造、物の組成、手段、方法、またはステップを範囲内に含むように意図されている。
【図１】
2020505804.tif 000003
【図２】
2020505804.tif 000004
【図３】
2020505804.tif 000005
【図４】
2020505804.tif 000006
【図５】
2020505804.tif 000007
【図６】
2020505804.tif 000008
【図７】
2020505804.tif 000009
【図８】
2020505804.tif 000010
【図９】
2020505804.tif 000011
【図１０】
2020505804.tif 000012
【国際調査報告】
2020505804.tif 000013
2020505804.tif 000014